(57)【特許請求の範囲】
【請求項１】
隣り合う棘突起の間隔を隔てさせて、前記棘突起の互いに対する撓みに弾性的に抵抗することによって、少なくとも１つの脊柱に関連する痛みを軽減させるためのインプラントであって、脊柱の隣り合う棘突起同士の間に位置決め可能であるインプラントにおいて、
前記インプラントは、
中心本体、ガイド及び第１ウィングを有する第１ユニットを有し、前記第１ウィングは、前記中心本体の第１端に設置され、前記ガイドは、前記第１ウィングから遠位方向に設置された、前記中心本体の第２端から延びており、前記ガイドは、前記第１ウィングに向かう方向に広がっており、
さらに、前記インプラントは、前記中心本体を覆って設けられたスリーブを有し、前記スリーブは、前記スリーブの前記中心本体に向かう撓みを可能にするために、前記中心本体から少なくとも部分的に間隔を隔てており、
さらに、前記インプラントは、前記第１ユニットに固定された第２ウィングを有している、
ことを特徴とするインプラント。
【請求項２】
前記スリーブは、円筒形で、卵形断面であることを特徴とする、請求項１に記載のインプラント。
【請求項３】
前記スリーブは、円筒形で、大寸法及び小寸法を備えた断面であることを特徴とする、請求項１に記載のインプラント。
【請求項４】
前記大寸法は、前記第１ウィングの主要な長さに対して略垂直であることを特徴とする、請求項３に記載のインプラント。
【請求項５】
前記第２ウィングは、前記ガイドに亘って受け入れられる切り欠きを有することを特徴とする、請求項１に記載のインプラント。
【請求項６】
前記第２ウィングは、中間部分から延びる上部分及び下部分を有し、前記上下部分の少なくとも１つが、前記第２ウィングの中間部分が第１ウィングから近いのより第１ウィングに近いことを特徴とする、請求項１に記載のインプラント。
【請求項７】
脊柱に関連する痛みを軽減させるためのインプラントであって、前記インプラントは、隣り合う棘突起の間隔を隔てさせて、前記棘突起の互いに対する撓みに弾力的に抵抗することによって、脊柱の隣り合う棘突起同士の間に位置決め可能であり、
前記インプラントは、
中心本体、前記中心本体の第１端に設置されたガイド及びこの中心本体の第２端に設置されたストップを有する第１ユニットと、
前記中心本体を覆って設けられたスリーブとを有し、前記スリーブは、前記スリーブの前記中心本体に向かう撓みを可能にするために、前記中心本体から少なくとも部分的に間隔を隔てており、
前記ストップは、前記中心本体の横方向において前記スリーブより大きく構成され、
前記スリーブは、前記ガイドを前記ストップとの間の所定位置に保持される、
ことを特徴とするインプラント。
【請求項８】
前記ガイドは、略円錐形状であることを特徴とする、請求項１または７に記載のインプラント。
【請求項９】
前記ストップは、第１ウィングであることを特徴とする、請求項７に記載のインプラント。
【請求項１０】
前記細長中心本体は、少なくとも１つの細長溝を有し、
前記スリーブは、前記スリーブを前記本体から離すために、前記溝に受け入れられた少なくとも１つの内側に向いたスポークを有することを特徴とする、請求項１または７に記載のインプラント。
【請求項１１】
前記円筒形スリーブは、前記スリーブを前記本体から離すために、前記中心本体に接触可能な少なくとも１つの内側に向いたスポークを有することを特徴とする、請求項１または７に記載のインプラント。
【請求項１２】
前記中心本体は、前記スリーブを前記本体から離すために、前記スリーブに接触可能な少なくとも１つの外側に向いたスポークを有することを特徴とする、請求項１または７に記載のインプラント。
【請求項１３】
前記ガイドは、前記中心本体が棘突起への変性なしに２つの棘突起の間で付勢されるように、尖っていることを特徴とする、請求項１または７に記載のインプラント。
【請求項１４】
前記スリーブは、大寸法及び小寸法を備えた断面を有し、この大寸法は、小寸法より大きく、この小寸法の約２倍より小さく、さらに前記ガイドは、前記スリーブに隣接した断面を有し、ガイド大寸法が、前記スリーブの大寸法に略等しく、且つガイド小寸法が、前記スリーブの小寸法に略等しく、
さらに前記ガイドは、前記中心本体から離れる方向に断面の大きさが減じるように、前記中心本体から延びる、
ことを特徴とする、請求項１または７に記載のインプラント。
【請求項１５】
前記中心本体は、前記スリーブが前記中心本体の少なくとも一部に向かって撓むように、前記スリーブを前記中心本体の少なくとも一部から離れた関係に保持する円錐形状の端を有することを特徴とする、請求項１または７に記載のインプラント。
【請求項１６】
脊柱の隣接した棘突起同士の間に位置決め可能な、脊柱に関連する痛みを軽減させるためのインプラントであって、このインプラントは、
中心本体及び第１ウィングを有する第１ユニットと、
第２ウィングと、
異なる大きさの棘突起に適合するようにする目的のために、前記第１ウィングと前記第２ウィングとの間のスペースを調整するために、複数の位置で、前記第２ウィングを中心本体に選択的に固定するための手段とを有する、
ことを特徴とするインプラント。
【請求項１７】
前記第２ウィングの前記固定手段は、第２ウィングを選択的に中心本体に固定するように位置決めする複数のポートを備えた中間部分を有することを特徴とする、請求項１６に記載のインプラント。
【請求項１８】
脊柱に関連する痛みを軽減させるためのインプラントであって、前記インプラントは、隣り合う棘突起の間隔を隔てさせて、前記棘突起の互いに対する撓みに弾力的に抵抗することによって、脊柱の隣り合う棘突起同士の間に位置決め可能であり、
前記インプラントは、
中心本体及び第１ウィングを有する第１ユニットを有し、前記第１ウィングは、前記中心本体の第１端に設置され、前記中心本体は、第２端を有し、
さらに、前記インプラントは、前記中心本体を覆って設けられたスリーブを有し、前記スリーブは、前記スリーブの前記中心本体に向かう撓みを可能にするために、前記中心本体から少なくとも部分的に間隔を隔てており、
さらに、前記インプラントは、前記中心本体の第２端に固定された第２ウィングを有しており、
前記スリーブは、前記第１ウィングと前記第２ウィングとの間に配置される、
ことを特徴とするインプラント。
【請求項１９】
前記円筒形スリーブは、卵形断面であることを特徴とする、請求項７又は１８に記載のインプラント。
【請求項２０】
前記円筒形スリーブは、大寸法及び小寸法を備えた断面を有することを特徴とする、請求項７又は１８に記載のインプラント。
【請求項２１】
前記大寸法は、前記第１ウィングの大寸法に対して略垂直であることを特徴とする、請求項７又は１８に記載のインプラント。
【請求項２２】
前記円筒スリーブは、超弾性材料からなることを特徴とする、請求項１、７又は１８に記載のインプラント。
【請求項２３】
前記第１ウィング及び前記第２ウィングの少なくとも１つは、前記中心本体に対して鋭角をなすように、大寸法を中心として回転することを特徴とする、請求項１、７又は１８に記載のインプラント。
【請求項２４】
前記第１ウィングと前記第２ウィングとの間のスペースを選択的に変えられるように、前記第２ウィングを種々の形態で前記第１ユニットに固定するように構成されることを特徴とする、請求項１、７又は１８に記載のインプラント。
【請求項２５】
前記スリーブは、８％の復元可能な伸びを吸収できる材料からなることを特徴とする、請求項１、７又は１８に記載のインプラント。
【請求項２６】
前記スリーブは、９．１ｋｇ（約２０lbs.）から２２．７ｋｇ（約５０lbs.）の力で撓むことを特徴とする、請求項１、７又は１８に記載のインプラント。
【請求項２７】
前記スリーブは、繰り返し撓み可能で、原形に復元し得ることを特徴とする、請求項１、７又は１８に記載のインプラント。
【請求項２８】
前記スリーブは、少量の変形ひずみで限界応力に耐え、前記限界応力より上では、何度もこの少量の変形ひずみである略瞬間的な変形応力を呈することを特徴とする、請求項１、７又は１８に記載のインプラント。
【請求項２９】
前記円筒形スリーブは、ニッケル及びチタンの超弾性合金からなることを特徴とする、請求項１、７又は１８に記載のインプラント。
【発明の詳細な説明】
【０００１】
【発明の背景】
今日の社会の成熟につれ、背骨に関して老人に特有の不利な条件が増加することが予想される。一例を挙げると、老化につれ脊椎の狭窄（中心管狭窄や側方狭窄を含むが、これらに限定されない）の増加、脊柱を構成する骨の肥大化、及び小関節の関節症が起こる。脊椎の狭窄の症状は、血管及び神経を通すためのスペースが減少することを特徴としている。かかる狭窄と関連した痛みは、投薬と外科的手術の両方又は何れか一方により緩和できる。当然のことながら、誰でも、特にかなり年輩の人にとっては大がかりな手術を不要にすることが望ましい。
【０００２】
したがって、かかる状態を緩和する最小侵襲性であって、かなり年輩の人により受け入れ可能であり、好ましくは基本的に外来患者に対して行うことができる処置及びインプラントの開発が要望されている。
【０００３】
【発明の概要】
本発明は、脊柱と関連した不快感を軽減する最小侵襲性のインプラント及び方法の提供に関している。
【０００４】
本発明は、上述の血管及び神経に対する圧迫及び絞りを軽減することにより痛みを緩和する装置及び方法を提供する。かかる圧迫の軽減は、本発明では、脊椎の狭窄や小関節の関節症等により引き起こされる問題を解決するために隣り合う椎骨の棘突起を伸延するインプラント及び方法を用いることにより達成される。このインプラント及び方法は、特にかなり年輩の人の要望の実現に取り組んでいるが、本発明は、棘突起の伸延をすることが有益な全ての年齢層及び背格好の人に利用できる。
【０００５】
本発明の一特徴によれば、第１の棘突起と第２の棘突起との間に配置される器具を有する痛みを緩和するためのインプラントが提供される。この器具は、脊柱延長停止手段及び脊柱屈曲非抑制手段を含む。
【０００６】
本発明の別の特徴によれば、インプラントは、第１の棘突起と第２の棘突起との間に配置され、インプラントをこれら棘突起相互間に配置するとこれら第１の棘突起及び第２の棘突起を伸延できる伸延用楔又はウェッジを有する。
【０００７】
本発明の更に別の特徴によれば、インプラントは、隣り合う棘突起相互間に配置されると神経孔の両方又は何れか一方の容積を増大させるようになった器具を有する。
【０００８】
本発明の更に別の特徴によれば、脊椎の狭窄及び小関節の関節症（これらは例示に過ぎない）を伸ばすことにより痛みを緩和する方法が提供される。この方法は、痛みを緩和するために、脊柱の隣り合う第１と第２の棘突起に接近する段階と、棘突起を十分な量、伸延して脊柱管の容積を増大させる段階とを有する。本方法は、かかる痛みを緩和するのに必要な伸延量を維持するための器具を移植する段階を更に有する。
【０００９】
本発明の更に別の特徴によれば、本方法は、所望量の伸延を達成してこの伸延量を維持するための器具を移植する段階を有する。
【００１０】
本発明の更に別の特徴によれば、インプラントは、第１の部分及び第２の部分を有する。これら部分は、所望の伸延量を達成するために互いに押圧される。
【００１１】
本発明の更に別の特徴によれば、インプラントは、伸延ユニット及び保持ユニットを有する。伸延ユニットは、隣り合う棘突起相互間で押圧できる本体を有する。本体はスロットを有する。伸延ユニットの位置決め後、保持ユニットは本体のスロットに嵌入でき、そしてこれを伸延ユニットの本体に固定できる。
【００１２】
本発明のなおさらなる観点によれば、インプラントは中心本体付の第１ユニットを有する。スリーブが、中心本体を覆って設けられ、中心本体に向かう撓みを可能にするために、中心本体から少なくとも部分的に間隔を隔てる。
【００１３】
本発明のなおさらなる観点によれば、インプラントは、ガイド及び第１ウィングを備えた中心本体付の第１ユニットを有し、第１ウィングは、本体の第１端に位置する。ガイドは、第１ウィングから遠位方向に位置する本体の第２端から延びる。インプラントはさらに、中心本体を覆って設けられたスリーブをさらに有する。スリーブは、スリーブの中心本体に向かう撓みを可能にするために、中心本体から少なくとも部分的に間隔を隔てる。インプラントは、さらに、第２ウィングと、第２ウィングを第１ユニットに固定するための装置とを有し、スリーブは、第１ウィングと第２ウィングとの間に位置する。
【００１４】
本発明のなおさらなる観点によれば、インプラント装置は、内側に撓み可能な円筒形スリーブを有する。装置はさらに、挿入ガイド、中心本体、ストップ及びハンドルを備えた挿入具を有する。ガイド及びストップは、中心本体の両側から延び、ハンドルは、ストップから延びる。スリーブは、挿入具で２つの隣接した椎骨の間に位置決めされるに先立って、ストップに当たってガイドの上に嵌まる。
【００１５】
本発明のなおさらなる観点によれば、インプラントは、異なる大きさの棘突起を収容するために、中心本体、第１及び第２ウィング及び第１及び第２ウィングの１つを他のウィングに対して選択的に位置決めするための手段を有する。
【００１６】
本発明の精神及び範囲に属する他のインプラント及び方法を用いても脊柱管の容積を増大させることができ、それにより血管及び神経の絞り及びこれと関連した痛みを和らげることができる。
【００１７】
【好ましい実施形態の詳細な説明】
図１〜図５ａ、図５ｂの実施形態
本発明の第１の実施形態が、図１〜図５ａ、図５ｂに示されている。インプラント２０が、第１及び第２の二又端部２２，２４を有し、各二又端部は、それぞれサドル２６，２８を構成している。二又端部２２，２４は、椎体間片３０を用いて結合される。図３ａ及び図３ｂで分かるように、第１の二又端部２２は、サドル２２から後方へ突出したねじ山付きシャフト３２を有している。ねじ山付きシャフト３２は、椎体間片３０のねじ山付きボア３４（図４ａ）に螺入している。
【００１８】
第２の二又端部２４（図５ａ及び図５ｂ）は、椎体間片３０の滑らかなボア３８内に嵌まり込むことができる滑らかな円筒形シャフト３６を有している。
【００１９】
図１は、インプラント２０を完全伸長位置で示し、これに対し、図２はインプラントを非伸長位置で示している。非伸長位置では、第１の二又端部２２のねじ山付きシャフト３２は、第２の二又端部２４の中空円筒形シャフト３６の内側に嵌入することが分かる。
【００２０】
インプラント２０は、脊柱の隣り合う第１の棘突起及び第２の棘突起の相互の間への移植のために図２に示すように構成されている。第１の棘突起及び第２の棘突起を、適当な外科的手法を用いてむき出しにし、しかる後インプラント２０を、サドル２６が第１の棘突起に係合すると共にサドル２８が第２の棘突起に係合するよう位置決めする。この時点において、適当な器具又はピンを横穴４０内に配置することにより椎体間片３０を回転させるのがよく、回転の際、サドル２６はサドル２８に対して移動する。かかる回転により、棘突起は互いに拡がり又は伸延し、その結果、有利には脊柱管の容積が拡張して血管及び神経の狭窄が軽減される。
【００２１】
このインプラント及び本明細書で説明する幾つかの他のインプラントは延長停止手段（ストップ）として働くことが注目される。これは、背中を後方に曲げて延長又は伸展状態にすると、隣り合う棘突起相互間の間隔を、サドル２６の最も下の箇所とサドル２８の最も下の箇所との間の距離よりも小さな距離まで狭めることができないことを意味している。しかしながら、このインプラントは、脊柱を前に曲げる場合の脊柱の屈曲を全く禁止したり制限することはない。
【００２２】
好ましくは、かかる器具は、約５mm〜約１５mmの範囲の伸延を行うことができる。しかしながら、２２mm以上伸延させることができる器具は、個々の患者の事情に応じて使用してもよい。
【００２３】
棘突起と関連したすべての靭帯（例えば、棘上靭帯）及び組織が無傷のままの状態で、上述の延長停止及び屈曲非抑制手段の利点が得られるようにするために、インプラント２０を本質的に定位置に浮動状態で移植するのがよい。所望ならば、サドル２６のうち一方をピン２９によって棘突起のうちの一方に横方向にピン止めし、そして、他方のサドルをつなぎ３１を用いることによって、他方の棘突起にゆるく関連させるのがよく、このつなぎ３１は、サドルを棘突起に対して位置決めするために、他方の棘突起を穴開けし、又は、これを包囲し、次に、これをサドルに取り付ける。変形例として、サドルが棘突起に対して動くことができるようにするために、両方のサドルを、つなぎで隣の棘突起にゆるく取り付けてもよい。
【００２４】
凹状のサドルの形状により、サドルとそれぞれの棘突起との間に力を分布させるという利点が得られる。これにより、骨はインプラント２０の配置状態によっては吸収（骨吸収又は骨溶解）されることはなく、骨の構造的健全性が維持される。
【００２５】
この実施形態のインプラント２０は多種類の材料で構成でき、かかる材料としては、ステンレス鋼、チタン、セラミックス、プラスチック、弾性材料、複合材料又はこれらの任意の組合せが挙げられるが、これらには限定されない。加うるに、インプラントの弾性率を骨の弾性率に合わせてインプラント２０が硬すぎないようにする。インプラントの可撓性をさらに高めるには、穴４０に加えてインプラントに追加の孔を設けるのがよく、これらの穴４０も又、椎体間片３０を回転させようにしてサドル２６，２８相互間の距離を広げるという上述の目的を有している。
【００２６】
本実施形態では、先ず最初に適当な器具を用いて棘突起に接近し、これを伸延させるのがよく、そして所望の伸延量を達成維持するために、インプラント２０を挿入して調節するのがよいことが分かる。変形例として、棘突起に接近してインプラント２０を正しく配置してもよい。いったん位置決めすると、棘突起を伸延させ、或いはすでに伸延された状態の棘突起の伸延レベルを拡張するためにインプラントの長さを調節するのがよい。かくして、伸延を生じさせ、或いはすでに得られている伸延状態を維持するためにインプラントを用いることができる。
【００２７】
以下に、他の実施形態を用いて棘突起に対するインプラント、例えばインプラント２０の配置方法を説明する。しかしながら、理想的には、インプラント２０を脊柱の瞬時回転軸線に近く位置させてインプラント２０に加わる力及びインプラント２０が脊柱に加える力を最少限に抑えられるようにすることが注目されるべきである。
【００２８】
さらに、プラント２０の実際の取付け又は移植操作中、この方法はインプラント２０の長さを第１の量伸長させ、次に背骨がこの伸延量に合わせてクリープし又は順応することができる手法を用いていることは注目される。しかる後、インプラント２０を別な量長くし、次に期間を置いて背骨がこの新しい伸延レベルに合わせてクリープし又は順応することができるようにする。この手順を、所望の伸延量が達成されるまで繰り返し行う。この同一の方法をインプラントの取付け前に挿入具について用いることができる。挿入具を用いると、インプラントを取り付ける前に、一連の背骨伸延及び背骨クリープ期間を利用して所望の伸延量を得ることができる。
【００２９】
図６、図７、図８、図９及び図１０の実施形態
図６、図７、図８、図９及び図１０に示す本発明の実施形態は、第１のアーム５２及び第２のアーム５４を有する伸延具又は拡張具５０を有している。アーム５２，５４は、インプラント５８の移植を行うために、ピボット点５６の回りに回動自在であり、しかもピボット点５６から取外し可能である。図６で分かるように、アーム５２，５４は横断面が幾分凹状である。その目的は、第１の棘突起６０をアーム５２に対し、そして第２の棘突起６２をアーム５４に対してそれぞれ抱えた状態でしっかりと保持することにある。第１の棘突起６０と第２の棘突起６２との間のスペースに立ち入るために、伸延具５０を患者の背中に入れた小さな切開部を通して挿入するのがよい。伸延具５０をいったん正しく位置決めすると、アーム５２，５４を互いに拡げて棘突起を伸延するのがよい。このようにした後、図８及び図９に示したインプラント５８又は本発明の実施形態のうち他のものに示された設計のインプラント５８をアーム５２，５４相互間に押し込んで棘突起相互間の定位置に押し込むのがよい。このようにした後、アーム５２，５４を棘突起から引き抜くとインプラント５８は定位置に残ることができる。インプラントの背部に設けたねじ山付きボアを通してインプラント５８に固定できる器具６４を用いてインプラント５８を定位置に押し込む。図１０で分かるように、インプラント５８は、上述の第１の実施形態とほとんど同一の方法でしかも伸延具５０の個々のアームとほとんど同一の方法で上棘突起６０及び下棘突起６２を抱えるサドル６８，７０を有している。上述のサドルは、インプラントと棘突起との間に荷重を分布させる傾向があり、しかも棘突起をそれぞれのサドルの最も下の箇所に安定的に着座させるようにする。
【００３０】
図１１、図１２及び図１３の実施形態
本発明の装置及び方法の別の実施形態が図１１、図１２及び図１３に示されている。この実施形態では、拡張具又は伸展具８０は、ピボット点８６のところで永続的に枢着されている第１のアーム８２と第２のアーム８４を有している。アームは、Ｌ字形端部８８，９０を有している。小さな切開部を通して、Ｌ字形端部８８，９０を第１の棘突起９２と第２の棘突起９４との間に挿入することができる。いったん位置決めすると、アーム８２，８４を棘突起を伸延するために互いに拡げるのがよい。次に、伸延レベルを維持するために、インプラント９６を棘突起相互間に押し込むのがよい。インプラント９６は、ウェッジ状の表面又は傾斜部９８，１００を有している。インプラント９６を棘突起相互間に押し込むにつれ棘突起は傾斜部により一段と伸延される。インプラント９６をいったん完全に移植すると、傾斜部の後方に位置した平らな表面９９，１０１によって完全伸延状態が維持される。荷重分布及び安定性の利点を得るために、インプラント９６の横断面は、インプラント５８について示した横断面と類似しているのがよく、或いは他のインプラントに類似しているのがよいことは理解されるべきである。
【００３１】
図１４、図１５、図１６、図１６ａ及び図１７の実施形態
図１４及び図１５には、本発明の更に別の実施形態が示されている。この実施形態では、インプラント１１０は、第１の円錐形の部材１１２及び第２の円錐形の部材１１４を有している。部材１１２は、スナップ式雄型コネクタ１１６を有し、部材１１４はスナップ式雌型コネクタ１１８を有している。スナップ式雄型コネクタ１１６をスナップ式雌型コネクタ１１８内に押し込んだ状態で第１の部材１１２を第２の部材１１４に係止する。この実施形態では、伸延具又は拡張具８０を用いるのがよい。棘突起をいったん拡張すると、移植用器具１２０を用いてインプラント１１０を位置決めし、これにスナップ嵌めすることができる。インプラント１１０の第１の部材１１２は、ツール１２０の一方のアームに取り付けられ、第２の部材１１４はツール１２０の他方のアームに取り付けられている。部材１１２，１１４は、隣り合う棘突起相互間の空間の両側に配置されている。部材１１２，１１４を互いに押して、インプラント１１０が図１５に示すように棘突起相互間の定位置に係止されるようにする。また、インプラント１１０を棘突起に対して定位置に保持すると共に追加の伸延量を得るために、表面１１２が円錐形であるように円筒形表面１１２を一層円錐形の形にすることによりインプラント１１０を自己伸延状態にしてもよいことは注目されるべきである。
【００３２】
インプラントの別の実施形態が、図１６及び図１７に示されている。このインプラント１３０は、第１の部材１３２及び第２の部材１３４を有している。この特定の実施形態では、インプラントは、皿穴１３６を通して挿入されて第２の部材１３４のねじ山付きボア１３８に係合するねじ（図示せず）を用いて結合されている。表面１３９は、棘突起によってこれに加えられた荷重を支持分散させるために平らにされている（図１７）。
【００３３】
インプラント１３０の実施形態は、図１４及び図１５の実施形態１１０の場合のように全体的外観が円形ではない。特に、図１６及び図１７のインプラント１３０の実施形態に関し、この実施形態は横方向側部１４０，１４２が平らになるように切頭されており、上方側部１４４及び下方側部１４６は、上及び下棘突起のためのサドルを捕捉してこれを形成するために細長くなっている。上方側部１４０及び下方側部１４６は、棘突起に適合した一層解剖学的なインプラントを提供するよう丸くなっている。
【００３４】
所望ならば、そして第１の部材１３２及び第２の部材１３４が互いに整列するようにするために、キー１４８及びキー溝１５０が、特定の方法で嵌合するよう設計されている。キー１４８は、少なくとも１つの平らにされた表面、例えば平坦面１５２を有し、この平坦面１５２は、キー溝１５０の適当に平らにされた表面１５４に嵌合している。このように、第１の部材は、インプラント１３０を上棘突起及び下棘突起に対して保持する適当な上サドル及び下サドルを形成するために第２の部材に適当に嵌合する。
【００３５】
図１６ａは、丸くなったノーズ引込みプラグ１３５と組合わされる第２の部材１３４を示している。引込みプラグ１３５は、キー１４８とぴったりと嵌合できるボア１３７を有している。この形態では、引込みプラグ１３５を用いると、第２の部材１３４を棘突起相互間に配置しやすくすることができる。いったん第２の部材１３４を適当に位置決めすると、引込みプラグ１３５を取り外すことができる。引込みプラグ１３５は、第２の部材１３４を位置決めするために棘突起及び軟組織を押し離すのに役立つ他の形状、例えばピラミッド形及び円錐形のものであってもよいことは理解されるべきである。
【００３６】
図１８、図１９及び図２０の実施形態
図１８に示すようなインプラント３３０は、互いにかみ合う第１及び第２のウェッジ３３２，３３４で構成されている。これらウェッジ３３２，３３４を移植するために、棘突起に両側から接近し、次に器具を用いてウェッジを互いに向かって押す。ウェッジを互いに向かって押すと、ウェッジは互いに近づくので上棘突起３３６と下棘突起３３８との間に位置したインプラント３３０の組合せ寸法が増加し（図２０）、それにより棘突起を伸延させる。ウェッジ３３２，３３４は、棘突起３３６，３３８を受け入れるサドル３４０，３４２を有している。これらサドルは、上述した利点を有している。
【００３７】
第１のウェッジ３３２又は第２のウェッジ３３４は、チャンネル３４４及びウェッジ３３２，３３４を互いに係止するために、このチャンネル内に押し込むことができる突起３４６からなるかみ合い構造を有している。チャンネル３４４は、突起を、これから分離しないようにするためにアンダーカットされている。さらに、本明細書で説明する他の器具の場合と同様に、移動止めをチャンネルと突起のうち一方に設けるのがよく、これに相補する凹部をチャンネルと突起のうち他方に設けるのがよい。これら２つをいったん互いにスナップ嵌めすると、ウェッジはチャンネル３４４内において他方に対して摺動しないようになる。
【００３８】
上述の実施形態をウェッジに関して説明したが、ウェッジはまた、同一の特徴及び利点を全て備えた実質的に円錐体として設計してもよい。
【００３９】
図２１及び図２２の実施形態
インプラント３７０は、第１及び第２の伸延円錐体３７２，３７４で構成されている。これら円錐体は、可撓性の材料で作られている。円錐体は、図２１に示すように棘突起３７６，３７８の各側に配置されている。上述したような適当な器具を用いて、伸延円錐体３７２，３７４を互いに押圧する。これら伸延円錐体を押し合うと、円錐体は、図２２に示すように棘突起を伸延する。いったんこのようになると、適当なねじ又は他の形式の締結機構３８０を用いて伸延円錐体３７２，３７４の位置を維持することができる。この構成の利点は、インプラント３７０が自動伸延性を発揮すると共に、可撓性であるインプラントが図２２に示すように棘突起の周りに密着することにある。
【００４０】
図２３、図２４及び図２５の実施形態
図２３及び図２４にはインプラント１７０の別の実施形態が示されている。このインプラントは、Ｌ字形ガイド１７２を用いて定位置に案内され、このガイドは、凹状の横断面、例えば図６の伸延具５０の横断面５２を有するのがよい。その目的は、インプラント１７０を抱えた状態で定位置に案内することにある。好ましくは、小さな切開部を患者の背中に作り、Ｌ字形ガイド又は案内具１７２を隣合う棘突起相互間に挿入する。インプラント１７０を挿入具１７４の端部に取り付け、棘突起相互間の定位置に押し込む。インプラントを定位置に押し込む動作により、棘突起はそれが必要ならば一段と伸延する。Ｌ字形案内具１７２の挿入に先立って、例えば図１３に示すような伸延具を用いると、棘突起を最初に伸延できる。
【００４１】
インプラント１７０は、変形しうる材料で作るのがよく、したがってこれを定位置に押し込むことができると共にこれは上棘突起及び下棘突起に幾分形状が合致できるようになっている。この変形しうる材料は好ましくは弾性材料である。かかる材料の利点は、インプラントと棘突起との間の荷重が非常に広い表面積全体にわたって分散されることにある。さらに、インプラントを棘突起に対して位置決めするためにインプラントは異形の棘突起の周りに密着することになる。
【００４２】
図２５に関連して、このインプラント１７６をガイドワイヤ、案内具又は探り針１７８上に嵌めることができる。当初、ガイドワイヤ１７８を患者の背中の小さな切開部を通して隣合う棘突起相互間の位置に配置する。このようにした後、インプラントをガイドワイヤ１７８上に螺着し、棘突起相互間の定位置に押し込む。この押し込みにより、もし一層の伸延が必要ならば棘突起を一段と伸延することができる。インプラントがいったん定位置に位置すると、ガイドワイヤすなわち案内具１７８を取り出して切開部を閉じる。所望ならば図２２及び図２４の挿入具を用いてもよい。
【００４３】
図２６、図２７及び図２８の実施形態
図２６、図２７及び図２８に示す実施形態は、図８及び図９に示すインプラントと類似しているが、異なる挿入具を備えたインプラントを用いている。図２６で分かるように、Ｌ字形伸延具１９０はＬ字形伸延具８０（図１２）と類似しており、これを用いて第１及び第２の棘突起１９２，１９４を伸延する。このようにした後、挿入具１９６を棘突起１９２，１９４相互間に配置する。挿入具１９６は、正方形のリング２００が取り付けられたハンドル１９８を有している。
【００４４】
棘突起を互いに拡げるために伸延具１９０を背中の小さな切開部を通して挿入することができる。僅かに横方向に拡大した同一の切開部を通して最初にリング２００の上端部２０２を挿入し、その後リング２００の残部を挿入するのがよい。リングをいったん挿入すると、ハンドル１９８を下方に動かすことによってリングを僅かに回転させることができる。その目的は、棘突起に楔作用を及ぼしてこれを互いに一段と押し離すことにある。いったんこれを達成すると、インプラント、例えばインプラント２０４をリングを通して挿入し、インプラントハンドル２０６を用いて正しく位置決めすることができる。しかる後、インプラントハンドル２０６及び挿入具１９６を取り出すのがよい。
【００４５】
図２９、図３０、図３１、図３２及び図３３の実施形態
図２９及び図３０で分かるように、インプラント２１０，２１２は、側面から見ると互いに異なる形状を有している。これらインプラントは、上述のインプラント５８（図８）及び２０４（図２８）と類似している。これらインプラントは、隣り合う棘突起を受け入れてこれらを保持するためにサドルを有する図１０に示すインプラントの横断面と類似した横断面を有している。
【００４６】
図３１、図３２及び図３３で分かるように、インプラントを棘突起２１４に対して互いに異なる位置に配置するのがよい。好ましくは、図３３に示すように、インプラント２１０を薄層板２１６に最も近く配置する。そのように位置決めすると、インプラント２１０は、脊柱の瞬時回転軸線２１８の近くに位置し、インプラントが受けるようになった背骨の運動により生じる力は最小になる。かくして、理論的には、これはインプラントにとっての最適な配置場所である。
【００４７】
図３１及び図３２で分かるように、インプラントを棘突起に沿って（図３２）且つ棘突起（図３１）の棘突起の後方に向かって真ん中に配置するのがよい。図３１に示すように位置決めすると、脊柱の伸縮の相乗効果により最も大きな力がインプラント２１０に加わる。
【００４８】
図３４及び図３５の実施形態
本発明の別の実施形態が図３４及び図３５に示されている。これらの図では、インプラント２２０は、実質的にＶ字形の複数の個々の薄片２２２で構成されている。薄片は、相互係止へこみ又は移動止め２２４を有している。即ち、各薄片は、へこみを有すると共にこれと対応した突起部を有しており、したがって一薄片の突起部は隣の薄片のへこみに嵌合するようになっている。また、この実施形態と関連して挿入具２２６が用いられ、この挿入具は、個々の薄片２２２の形状と一致した、拡がった端２２８を有している。図２９に示すような棘突起相互間の空間へのこのインプラントの挿入のため、挿入具２２６を用いて先ず最初に一枚の薄片２２２を挿入する。このようにした後、挿入具は次に第２の薄片を挿入するが、この場合、第２の薄片の突起２２４を、第１の薄片の突起２２４によって作られた対応のへこみの中にスナップ嵌めする。この操作は、棘突起相互間に適度な間隔が得られるまで第３及び引き続く薄片に関して繰り返し行う。図２９で分かるように、個々の薄片２２２の横方向縁部２２９は、僅かに上方に湾曲している。その目的は、上棘突起及び下棘突起を受け入れるサドルを形成することにある。
【００４９】
図３６、図３７及び図３８の実施形態
それぞれインプラント２３０、２３２及び２３４から成る図３６、図３７及び図３８の実施形態は、インプラントをいったん棘突起相互間に正しく位置決めするとインプラントが定位置に自動係止するように設計されている。インプラント２３０は、本質的に一連の切頭円錐体から成り、複数の段々と拡大したステップ２３６を有している。これらステップは、ノーズ本体２３８で始まり、その背後に円錐体２４０が続いて設けられた円錐体で形成されている。本質的に，インプラント２３４は、横に置かれたクリスマスツリーのように見える。
【００５０】
インプラント２３０は、上棘突起と下棘突起との間の開口部を通して横方向に挿入される。第１のノーズ本体２３８により最初の伸延が行われる。連続して配置された円錐体は各々、棘突起を小刻みな量、伸延する。所望の伸延量になると棘突起をステップ２３６により定位置に係止する。この時点において、所望ならば、インプラントの最初のノーズ本体２３８及び他のノーズ本体２４０をもぎ取り、ぽきっと折り、或いは所望ならばのこ引きして切断する。その目的は、インプラント２３０の寸法を最小限に抑えることにある。インプラント２３０の一部をもぎ取り又はぽきっと折ったりするために、交線２４２であるノーズ本体相互間、例えばノーズ本体２３８，２４０相互間の交差部は、適切にその材料を除くことにより幾分弱められている。当初の円錐体の交線をそのように弱める必要があるに過ぎないことは注目される。かくして、棘突起相互間に残るノーズ本体相互間の交線２４４は、弱いものである必要はない。というのは、インプラントをこの箇所でもぎ取るようなことはないからである。
【００５１】
図３７は、上棘突起と下棘突起との間に位置したインプラント２３２を示している。このインプラントは、横断面が楔形又は三角形の形をしており、複数のボア２４５，２４６を有している。係止ピン２４８，２５０をこれらのボアに差し込むことができる。三角形又は楔形のインプラントを上棘突起と下棘突起との間で側方に押圧し、かくしてそれによりこれらを伸延することができる。適当な伸延量にいったん達すると、棘突起をピン２４８，２５０及び傾斜面２３３，２３５で形成されるＶ字形の谷部内に係止するためにピン２４８，２５０を複数のボア２４５，２４６の適当なボアの中へ挿入するのがよい。
【００５２】
図３８を参照すると、インプラント２３４は、図３２に示すものと類似した三角形又は楔形の本体を有している。この実施形態では、タブ２５２，２５４が三角形の本体２３４に回動自在に取り付けられている。棘突起を所望量伸延するためにインプラント２３４をいったん適切に位置決めすると、インプラント２３４を適切な位置に保持するためにタブ２５２，２５４が回転して定位置をとる。
【００５３】
図３９及び図４０の実施形態
図３９及び図４０の実施形態では、カニューレ２５８が、小さな切開部を経て上棘突起及び下棘突起相互間の位置に挿入される。カニューレがいったん正しく挿入されると、挿入具２６２を用いてインプラント２６０をカニューレ２５８内へ押し込む。インプラント２６０は、該インプラントを上棘突起及び下棘突起に対して位置決めするのを助ける複数のリブ又はへこみ２６４を有している。インプラント２６０がいったん定位置に位置すると、カニューレ２５８を引っ込めてインプラント２６０が棘突起に接触してこれらの間に楔作用を発揮するようにする。カニューレ２５８の形状は幾分円錐形であり、ノーズ端部２６６は遠位端２６８よりも幾分小さい。その目的は、棘突起相互間のスペース内へのカニューレの挿入を行うことにある。
【００５４】
さらに、一つではなく複数のカニューレを用いてもよく、この場合、各カニューレは上述のものよりも僅かに大きい。本発明の方法では、第１の小さなカニューレを挿入し、次にこれに引き続きこれよりも大きなカニューレを先の小さなカニューレ上に配置する。次に、小さなカニューレを大きなカニューレの中央から引き抜く。最も大きなカニューレがいったん定位置に位置し、そして皮膚の開口部がそれに応じて広がると、大きなカニューレにだけ適合したインプラントをこの大きなカニューレ内へ挿入して定位置に配置する。
【００５５】
図４１、図４２及び図４３の実施形態
図４１及び図４２の予め湾曲したインプラント２７０及び図４３の予め湾曲したインプラント２７２に対しては、ガイドワイヤ、案内具又は探り針２７４を含む共通の挿入法が用いられる。両実施形態に関し、ガイドワイヤ２７４を患者の皮膚を通して適切に位置決めし、そして棘突起相互間の空間内へ配置する。これを達成した後、インプラントをガイドワイヤ上に差し向け、棘突起相互間の定位置に差し向ける。インプラントが予め湾曲しているので、(1) インプラントを患者の皮膚に入れた第１の小さな切開部を通して２つの棘突起相互間のスペースの一方の側に位置決めしやすくなり、(2) ２つの棘突起相互間のスペースの他方の側においてインプラントを患者の皮膚に入れた第２の小さな切開部を通して案内しやすくなる。インプラント２７０に関し、このインプラントは円錐形挿入ノーズ２７６及び遠位部分２７８を有している。ノーズ２７６を棘突起相互間に挿入すると、これにより棘突起が伸延される。破断線２８０，２８２が、インプラント２７０の両側に入れられている。いったんインプラントを棘突起相互間でガイドワイヤ上に正しく配置すると、インプラント２７０を定位置に残すためにノーズ部分２７６及び遠位部分２７８を上述の２つの切開部を通して破断線に沿って折り取る。
【００５６】
破断線２８０，２８２が２本だけだけ示されているが、多数の破断線をインプラント２７０に設けるのがよく、それにより、インプラントをガイドワイヤ２７８上に送りつづけ、ついにはインプラント２７０の適度の幅により所望の伸延量が得られるようにすることができる。上述のように、破断線を形成するには、インプラント２７０に穴を開け又は他の方法で弱めて適当な部分をぽきっと折ったり、のこ引きして切断できるようにする。
【００５７】
予め湾曲させたインプラント２７２に関して言えば、このインプラントは図３６に示すインプラント２３０と設計が類似している。しかしながら、図４７のこのインプラント２７２は予め湾曲させてあり、棘突起相互間の定位置までガイドワイヤ２７４上に挿入される。図３６のインプラント２３０の場合と同様に、適当なこの伸延レベルにいったん達すると、所望ならばインプラント２７２の部分を上述したようにもぎ取り、ぽきっと折り、或いは、のこ引きにより切断してインプラントの一部をこれが上棘突起と下棘突起との間に楔作用を発揮した状態で残す。
【００５８】
図４４の実施形態
本発明の別の実施形態が図４４に示されている。この実施形態は、挿入具兼用インプラント２９０から成る。挿入具兼用インプラント２９０は、符号２９２のところでヒンジ止めされたリングの形をしている。このリングは、第１の細長い円錐形の部材２９４及び第２の細長い円錐形の部材２９６で形成されている。部材２９４，２９６は、尖端で終り、ヒンジ２９２を用いることにより心合せされて互いに当たる。棘突起の両側に設けた互いに類似している切開部を通して、第１の部材及び第２の部材を患者の皮膚中に差し込み、棘突起相互間で互いに結合する。このようにした後、インプラント２９０を例えば時計回りに回転させて第１の部材２９２の漸次広がり部分を用いて第１及び第２の棘突起を伸延するようにする。適当な伸延レベルになると、棘突起相互間に位置した部分前後のリングの残部を上述したように折り取るのがよい。その目的は、所望の伸延レベルを維持することにある。変形例として、十分に小さなリングでは、リング全体を棘突起を伸延した状態のまま定位置に残してもよい。
【００５９】
図４５の実施形態
図４５では、インプラント３００は、上棘突起と下棘突起との間に挿入される複数のロッド又は探り針３０２で構成されている。ロッドは、上述のように設計されていて、これらをもぎ取ったり、ポキッと折ったり、切断したりすることができるようになっている。これらを挿入して適当な伸延レベルになると、棘突起の伸延レベルを維持するために探り針を折り取って各探り針のセグメントがそのままの状態になるようにする。
【００６０】
図４６及び図４７の実施形態
図４６及び図４７のインプラント３１０は、放出されるとコイル状になる形状記憶材料で構成されている。この材料は、送出具３１２内では真っ直ぐになっている。送出具を上棘突起３１４と下棘突起３１６との間の定位置に配置する。次に、形状記憶材料を送出具中へ押し込む。この材料を送出具の送出端３１８から放出すると、この材料はコイル状になり棘突起を所望量伸延する。この伸延状態がいったん達成されると、この材料を切断し、送出具を取り外す。
【００６１】
図４８、図４８、図５０及び図５１の実施形態
図４８で分かるように、インプラント３２０を送出具３２６で上棘突起３２２と下棘突起３２４との間に送り出す。インプラント３２０がいったん棘突起相互間の定位置に位置すると、送出具を９０°ひねって棘突起が図４９に示すように、最も長い寸法が実質的に棘突起に対して垂直になる向きから、最も長い寸法が棘突起に平行に且つこれと一線をなす図５０に示す向きになるようにする。この回転により、棘突起相互間に所望の伸延量が得られる。インプラント３２０は、その端に互いに反対側に位置した凹部３２１，３２３を有している。インプラント３２０を回転させることにより、棘突起はこれら凹部内に嵌まるようになる。
【００６２】
変形例として、挿入具３２６を用いて多数のインプラント３２０，３２１を棘突起３２２，３２４相互間のスペースに挿入してもよい（図５１）。多数のインプラント３２０，３２１を、適当な伸延量が得られるまで挿入するのがよい。この場合、例えば、インプラントの一方からの突起が他方のインプラントのチャンネル内に受け入れられてこれに係止されるようなチャンネル構成を用いることにより一インプラントが別のインプラントに係止嵌合することは理解されるべきである。かかるチャンネル構成は、他の実施形態に関して示してある。
【００６３】
図５２、図５３、図５４、図５５ａ及び図５５ｂの実施形態
図５２〜図５５ｂの実施形態は、流体充填式動的伸延インプラント３５０で構成されている。このインプラントは、あらかじめ曲げられた挿入ロッド３５４上に装着され、次に棘突起３５６の片側の切開部を通して挿入される膜３５２を有している。インプラント３５０が装着された曲げ状態の挿入ロッドを、適当な棘突起相互間に案内する。このようにした後、挿入ロッド３５４を取り出し、可撓性のインプラントを定位置に残す。次に、インプラント３５０を流体源（ガス、液体、ゲル等）に連結し、流体をインプラント内へ送り込み、インプラントを図５４に示すように拡張させ、棘突起を所望量伸延する。所望の伸延量がいったん得られると、インプラント３５０を図５５ａに示すように閉じる。可撓性のインプラント３５０は、不規則な形状の場合がある棘突起に形状を合わせることができ、かくして位置決めが確実になる。さらに、インプラント３５０は緩衝装置として作用し、インプラントと棘突起との間に働く力及び応力を弱める。
【００６４】
種々の材料をインプラント及びインプラント内へ押し込まれる流体の構成材料とすることができる。例示的に説明すると、粘弾性物質、例えばメチルセルロース又はヒアルロン酸を用いてインプラントを充填することができる。さらに、必要な度合いの伸延を生じさせるために当初は流体である物質であるが、後で凝固する物質を挿入してもよい。この物質が凝固すると、これら物質は棘突起の周りに特注したようなあつらえ形状になり、したがって少なくとも２つの隣り合う棘突起のうちの一方に関して定位置に保持される。かくして、この実施形態及び適当な挿入具を用いると、インプラントをこれがその棘突起に対して位置決めされた状態のままになるような仕方で棘突起の周りに形成できることが分かる（図５５ｂ）。かかる実施形態では、単一のインプラントを脊柱の屈曲を制限しないでいずれか一方の側に位置した棘突起の延長停止手段として用いることができる。
【００６５】
本願で開示した他のインプラントのうち多くを設計変更すれば、これらは、ほぼインプラント３５０が流体を受け入れたような仕方で所望の伸延量を達成してこれを維持するように流体を受け入れるようになることは理解されるべきである。
【００６６】
図５６、図５７及び図５８の実施形態
図５６に示すようなインプラント３６０は、形状記憶材料、例えばプラスチック又は金属で構成されている。湾曲した挿入具３６２が、上述したように適当な棘突起相互間に位置決めされている。いったんこのようにすると、インプラントのボア３６４を挿入具に嵌合させる。このようにすることにより、インプラントを真っ直ぐにする。次に、インプラントを定位置に押し、それにより棘突起を伸延する。このようになると、挿入具３６２を取り出し、インプラントがその真っ直ぐな形体をとることができるようにし、それにより挿入具を棘突起のうちの１つの周りに固定する。かかる構成により、延長停止手段であり、脊柱の屈曲を阻止しないインプラントが得られる。変形例として、インプラントは感温性のものであってもよい。即ち、インプラントは最初は真っ直ぐであるが、これが患者の体温によって温まると湾曲するようになる。
【００６７】
図５９及び図６０の実施形態
この実施形態では、インプラント３８０は、複数の互いに絡み合う薄片３８２で構成されている。当初、第１の薄片を対向した棘突起３８４，３８６の間に配置する。しかる後、所望の伸延量が得られるまで薄片３８２を棘突起相互間に差し込む。薄片は、衝撃を吸収するために幾分バネ状であり、また形状が棘突起に幾分適合するのがよい。
【００６８】
図６１の実施形態
図６１のインプラント３９０では、シールド３９２，３９４が隣り合う棘突起３９６，３９８上に配置される。シールドは、棘突起の損傷を防止するために用いられる。これらシールドは、セルフタッピンねじ４００，４０２を受け入れる孔を有している。実際問題として、シールドは棘突起に取り付けられ、棘突起は適当な量伸延される。いったんこのようになると、図６１に示すようにねじを用いてシールドの孔を通して棘突起の各々にねじ込むことにより伸延された位置を保持するためにロッド４０４が用いられる。
【００６９】
図６２及び図６３の実施形態
図６２及び図６３のインプラント４１０は、適当なねじ及びねじ山付きボアからなる装置を用いて互いに結合できる第１の部材４１２及び第２の部材４１４で構成され、それによりインプラント４１０が形成される。主部材４１２、及び、これにより結合される部材４１４によりインプラント４１０が形成される。したがって、インプラント４１０は、標準化された第１の部材４１２に用いられる複数の部材４１４を有している。図６２及び図６４は、互いに異なるタイプの結合用部材４１４を示している。図６２では、結合用部材４１４は、シムのように作用する突起４１６，４１８を有している。これら突起は、第１の部材４１２のサドル４２０，４２２の空間内へ突出するのに用いられる。これら突起４１６，４１８は、棘突起の種々のサイズに適合するために様々な長さのものであるのがよい。溝４２４を突起４１６，４１８相互間に配置して、第１の部材４１２の延長部４２６と嵌合する。
【００７０】
図６３に示すように、図６２に示す実施形態の突起を除き、これに代えて凹部４２８，４３０が用いられている。これら凹部は、より大きな棘突起に適合するためにサドル４２０，４２２の領域を拡張する。
【００７１】
図６４、図６５及び図６６の実施形態
図６４、図６５及び図６６の実施形態は、設計及び技術的思想が図６２及び図６３の実施形態と類似している。図６４では、インプラント５００は第１の部材５０２及び第２の部材５０４を有している。これら部材は、他の実施形態で教示されたような適当なねじ、又は、他の締結手段を用いて互いに固定できる。インプラント５００は、第１の部材５０２と第２の部材５０４の端部相互間に形成された第１のサドル５０６及び第２のサドル５０８を有している。これらサドル５０６，５０８は、隣り合う棘突起を受け入れて抱えるのに用いられる。図６４で分かるように、各サドル５０６，５０８は、適当な第１の部材５０２及び第２の部材５０４から延びる単一の突起又はレグ５１０，５１２によって構成されている。図６２及び図６３で見受けられる実施形態とは異なり、サドルの各々は、棘突起と関連した靭帯及び他の組織を利用してインプラントを適当な位置に保持するようにすることができるので、単一のレグだけで構成されている。図６４の構成では、各サドルが単一のレグだけで構成され、かくして、第１の部材及び第２の部材を種々の組織相互間の定位置に容易に押し込むことができるのでインプラントを棘突起に対して位置決めすることが一層容易である。
【００７２】
図６５の実施形態では、インプラント５２０は、サドル５２２，５２４を有する単一片で構成されている。サドルはそれぞれ単一のレグ５２６，５２８で構成されている。このインプラント５２０を棘突起相互間に位置決めするために、隣り合う棘突起の横方向側部相互間に切開部が設けられている。単一のレグ５２６を切開部からサドル５２２で抱えられた状態の棘突起の反対側の横方向側部に隣接した位置に差し向ける。次に、サドル５２４を定位置に回動させてこれが他方の棘突起に係合ようになるまで棘突起を押し離し、それにより２つの隣り合う棘突起相互間の伸延量を維持する。
【００７３】
図６６の実施形態は、図６５の実施形態と類似しているが、第１のサドル５３２及び第２のサドル５３４付きのインプラント５３０から成る。つなぎ５３６，５３８がそれぞれ各サドルと連携している。つなぎは、当業界で知られた可撓性の材料で作られており、インプラント５３０に設けられたボアを通して位置決めされる。いったん適切な位置決めが行われると、つなぎを解くことができる。つなぎは、一方の棘突起を他方の棘突起に対して動かないようにするために用いられるものではなく、棘突起の動作を互いに対して案内してインプラント５３０を延長停止手段及び屈曲非抑制手段として用いることができるようにするものであることは理解されるべきである。換言すると、サドル５３２，５３４は脊柱の後方への曲げ及び延長を停止するのに用いられる。しかしながら、つなぎは前方への曲げ及び脊柱の屈曲を禁止しない。
【００７４】
図６７及び図６８の実施形態
インプラント５５０は、Ｚ形であり、中心本体５５２、中心本体から互いに反対方向に延びる第１のアーム５５４及び第２のアーム５５６を有している。インプラント５５０の中心本体５５２は、第１のサドル５５８及び第２のサドル５６０を有している。第１のサドル５５８及び第２のサドル５６０は、上棘突起５５６及び下棘突起５６８を受け入れることになる。したがって、アーム５５４，５５６は、中心本体５５２の遠位端５６６（図６８）に隣接して位置する。第１のアーム５５４及び第２のアーム５５６は、脊柱管に向かうインプラント５５０の前方運動、移動又は滑りを阻止し、インプラントを第１及び第２の棘突起に対して定位置に保持するよう働く。これにより、インプラントは黄色靱帯及び硬膜に対して下向きの力を及ぼすことはない。好ましい実施形態では、中心本体の高さは約１０mmであり、アーム５５４，５５６の各々の高さも又、約１０mmである。患者に応じて、本体部分の高さは、約１０mm以下から約２４mm以上まで様々であるのがよい。図６７及び図６８で分かるように、第１のアーム５５４及び第２のアーム５５６は、上棘突起５５６及び下棘突起５５８を受け入れるために付加的な輪郭づけが施されている。特に、アーム５５４に関して理解できるようにアーム５５４，５５６は、僅かに外方に弓なりになった部分（「弓なり部」）５６８（図６８）及び僅かに内方に弓なりになった遠位端５７０を有している。この構成により、アームは棘突起の周りに嵌着でき、遠位端５７０は棘突起の動作をインプラントに対して案内するために棘突起に幾分押し付けられる。これらのアーム５５４，５５６は所望ならば、アーム５５４，５５６を薄く作ると共に、或いはこれらに穴を設け、さらにそれと共に、或いは中心本体５５０の材質とは異なる別の材質にすることにより、中心本体よりも一層可撓性のものにしてもよい。最後に述べた上述の実施形態の場合と同様、アームを横方向切開部中へ差し向けて中心本体５５２を棘突起相互間に最終的に位置決めできるようにすることにより、この実施形態のインプラントを隣り合う棘突起相互間の定位置に押し込むことができる。
【００７５】
図６９、図７０、図７１及び図７１ａの実施形態
図６９、図７０及び図７１は、本発明のインプラント５８０の正面斜視図、端面図及び側面図である。このインプラントは、隣り合う棘突起を受け入れる第１のサドル５８４及び第２のサドル５８６を備えた中心本体５８２を有している。さらに、インプラント５８０は、第１のアーム５８８及び第２のアーム５９０を有している。アームは、先にのべた実施形態の場合と同様、脊柱管に向かうインプラントの前方移動又は滑りを防止する。第１のアーム５８８は、第１のサドル５８４から外方に突出し、第２のアーム５９０は第２のサドル５８６から外方に突出している。好ましい実施形態では、第１のアーム５８８は、中心本体５８２の遠位端６００に隣接して位置し、中心本体５８２の長さに沿って少なくとも部分的に延びている。第１のアーム５８８は、図７０に示すように中心本体に対して実質的に垂直である。さらに、第１のアーム５８８及び第２のアーム５９０は、解剖学的に丸い。
【００７６】
第２のサドル５８６から突出した第２のアーム５９０は、遠位端６００の幾分後方に位置し、中心本体５８２の長さに沿って部分的に延びている。第２のアーム５９０は、中心本体５８２から合成角をなして突出している。図７０及び図７１で分かるように、第２のアーム５９０は、サドル５８６から約４５°の角度をなす状態で図示されている（図７０）。さらに、第２のアーム５９０は、図７１に示すように中心本体５８０の長さに対して約４５°の角度をなしている。他の合成角が特許請求の範囲に記載された本発明の精神及び範囲に属していることは理解されるべきである。
【００７７】
好ましい実施形態では、第１のアーム５８８及び第２のアーム５９０は、中心本体５８２の幅とほぼ同一の長さを有している。好ましくは、各アームの長さは約１０mm、中心本体の幅は約１０mmである。しかしながら、幅２４mm以上の本体は、約２４mmよりも約１０mm以上の範囲にある第１及び第２のアームと共に、本発明の精神及び範囲に属している。さらに、この実施形態は、約２４mm以上の幅を有する中心本体を有し、アームが約１０mmであることが意図されている。
【００７８】
図６９、図７０及び図７１の実施形態並びに図６７及び図６８の実施形態は、Ｌ４−Ｌ５の椎骨対とＬ５−Ｓ１の椎骨対の間に好ましくは位置決めされるよう設計されていることは理解されるべきである。図６９、図７０及び図７１の実施形態は、特にＬ５−Ｓ１の位置に合わせて設計されており、アームはこれらの間に見受けられる傾斜表面に形状が一致するよう設計されている。かくして、第１及び第２のアームは、これらが僅かな角度を持っている椎骨の薄層板に押し付けられて平らな状態になるよう形作られている。
【００７９】
図６９、図７０及び図７１の実施形態は、図６７及び図６８の実施形態の場合と同様、形状がＺ形であり、したがってこれを一方の横方向側部から、隣り合う棘突起相互間の位置に挿入できるようになっている。中心本体の前に位置した第１のアームは、棘突起相互間のスペースを通して案内される。かかる構成では、器具を２つの棘突起相互間に首尾よく移植するためには棘突起の片側に切開部を設けることが必要なだけである。
【００８０】
図７１ａのインプラント６１０は、直ぐ前に説明したインプラントと類似しており、第１のアーム６１２は第２のアーム６１４と同一のインプラントの側部に設けられている。第１のサドル６１６及び第２のサドル６１８は、インプラントを一方の側から棘突起相互間に位置決めできるようにするために遠位部分６２０，６２２が幾分通常のサドル形状から平らにされた点において僅かに設計変更されている。いったん定位置に位置すると、棘突起と関連した靭帯及び組織は、インプラントを定位置に保持することになろう。所望ならば、つなぎも又、用いてもよい。
【００８１】
図７２及び図７３の実施形態
インプラント６３０は又、該インプラントを隣り合う棘突起の一方の側から挿入できるよう設計されている。このインサート６３０は、中心本体６３２を有し、第１のアーム６３４及び第２のアーム６３６がこの中心本体の両側に延びている。図７２で分かるように、プランジャー６３８が、中心本体６３２の端部から延びるよう位置決めされている。図７２に示すように、プランジャー６３８は完全に伸長されており、図７３に示すようにプランジャー６３８はインプラント６３０の中心本体６３２内に嵌入されている。プランジャーをインプラント６３２に嵌入した状態では第３及び第４のアーム又はフック６４０，６４２が中心本体６３２から外方に延びることができる。第３及び第４のアーム又はフック６４０，６４２を、種々の材料、例えば形状記憶合金材料又はバネのような性質を持つ材料で構成するのがよい。
【００８２】
インプラント６３０を隣り合う棘突起相互間に位置決めする目的で、プランジャー６３０を図７２に示すように外方に引っ張る。次に、中心本体６３２を隣り合う棘突起相互間に位置決めし、そして、プランジャー６３８が図７３の位置に移動して、第３のアーム（又はフック）及び第４のアーム（又はフック）６４２が中心本体６３２から外方に突出してインプラント６３０を棘突起相互間に定位置に保持することができるようにする。
【００８３】
プランジャー６３８を図７３に示すような位置にばね押しするのがよく、或いはプランジャー６３８はこれをその位置に係止する移動止め又は他の機構を有するのがよい。さらに、第３及び第４のアームはそれ自体拡開されると、プランジャーを図７３に示すような位置に保つことができる。
【００８４】
図７４、図７５、図７６、図７７及び図７８の実施形態
本発明の他の実施形態が図７４〜図７８に示されている。図７４、図７５及び図７６はインプラント７００を開示している。インプラント７００は、Ｌ４−Ｌ５の椎骨とＬ５−Ｓ１の椎骨の間の移植に特に適している。図７４で分かるように、インプラント７００は、ボア７０４が設けられた中心本体７０２を有している。ボア７０４を用いる目的は、インプラントの弾性率を加減してこれが好ましくは引っ張り状態で椎骨上に加えられた解剖学的荷重の約２倍であるようにすることにある。換言すると、インプラント７００は、これに加わった通常の荷重よりも約２倍の剛性を持っている。このように構成した目的は、インプラントがこれに隣接した骨の潜在的な吸収（骨吸収）を減少させるために幾分可撓性があるようにすることにある。他の弾性率値を用いることができ、これらは本発明の精神に属している。
【００８５】
インプラント７００は、上棘突起及び下棘突起からの荷重を受け取って分散させるために用いられる第１のサドル７０６及び第２のサドル７０８を有している。サドル７０６は、第１のアーム７１０及び第２のアーム７１２によって構成されている。第２のサドル７０８は、第３のアーム７１４及び第４のアーム７１６によって構成されている。図７４で分かるように、第１のアーム７１０の長さは好ましい実施形態では、本体７０２の長さの約２倍であり、第２のアーム７１２の長さは、本体の長さの約１／４未満である。第３のアーム７１４は、本体７０２の長さにほぼ等しく、第４のアーム７１６はこの好ましい実施形態では、本体７０２の長さの約１．５倍である。アームは、インプラントが、(1) 隣り合う棘突起相互間に容易且つ楽に挿入可能であり、(2) 脊柱管に向かって前方に移動することはなく、(3) 脊柱の屈曲及び延長並びに横方向の曲げによってもその位置を保持するように設計されている。
【００８６】
第１のアーム７１０は更に、椎骨の形状に合うように設計されている。図７４で分かるように、第１のアーム７１０は、これが本体７０２から遠ざかるにつれて狭くなっている。第１のアーム７１０は、傾斜部分７１８を有し、その次に設けられた小さな凹部７２０が端７２４に隣接した丸み部７２２で終わっている。この設計は、例えばＬ４椎骨の解剖学的形態に一致するように行われている。これら椎骨は、ほぼ３０°の角度の多数の表面を有し、そしてこの実施形態及び図７７及び図７８に示した実施形態の傾斜面がこれらの表面に適合するよう設計されていることは理解されるべきである。これらの実施形態は、他の角度及び形状に合致するよう別の設計変更を行うことができる。
【００８７】
第２のアーム７１２は、棘突起相互間に挿入しやすく、しかもサドル７０６を構成するように小さい。第４のアーム７１６は、第３のアーム７１４よりも大きく、これらのアームは両方とも第１のアーム７１０よりも小さい。第３及び第４のアームは、これらがサドル７０６を構成し、脊柱の運動中、棘突起をインプラント７００に対して案内し、しかもインプラントを棘突起相互間に位置決めしやすくする大きさのものであるように設計されている。
【００８８】
例示として説明するに過ぎないが、インプラント７００を移植する手順では、切開部を２つの棘突起相互間に横方向に入れ、次に最初に第１のアーム７１０を棘突起相互間に挿入するのがよい。インプラントと適当な器具の両方又はいずれか一方を用いて棘突起を伸延し、第３のレグ７１４及び中心本体７０２が棘突起相互間のスペースに嵌まることができるようにする。すると、第３のレグ７１４は反対側で下棘突起に隣接して位置するようになり、棘突起は第１のサドル７０６及び第２のサドル７０８内に位置する。長い第４のレグ７１６はこの場合、インプラント７００の位置決めを助ける。
【００８９】
図７７は、インプラント７００と類似していて、かくして同一の符号が用いられているインプラント７４０を有している。インプラント７４０のサドル７０６，７０８は、例えばＬ４−Ｌ５の椎骨とＬ５−Ｓ１の椎骨の間の骨組織に適合するために傾斜又は勾配がつけられている。上述のように、この領域における椎骨は、約３０°の範囲の多くの傾斜表面を有している。したがって、サドル７０６は３０°以下の傾斜、好ましくは約２０°の傾斜を有し、サドル７０８は約３０°、好ましくは３０°以上の傾斜を有している。
【００９０】
図７８に示すようなインプラント７６０は図７４のインプラント７００と類似していて、同一の符号が用いられている。インプラント７６０は、第３のレグ７１４及び第４のレグ７１６を有し、第３のレグ７１４は、第３のアーム７１４の端部７６６に向かって傾斜した傾斜部分７６２を有し、第４のレグ７１６は、第４のアーム７１６の端部７６８に向かって傾斜した傾斜部分７６４を有している。傾斜部分は、これらが当接する下側の椎骨の形態に適合している。好ましい実施形態では、傾斜部分は約３０°のものである。しかしながら、実質的に３０°よりも大きく、或いは、これよりも小さな角度の傾斜部分も使用でき、これらは本発明の精神及び範囲に属していることは理解されるべきである。
【００９１】
図７９、図８０、図８０ａ、図８１、図８２、図８３、図８３ａ、図８４、図８５、図８６及び図８７の実施形態
本発明の別の実施形態が、インプラント８００（図８６）として図７９〜図８７に示されている。インプラント８００は、図７９の左側面図、図８０の平面図及び図８１の右側面図に示された伸延ユニット８０２を有している。伸延ユニットの斜視図が図８４に示されている。図８０で分かるような伸延ユニットは、長手方向軸線８０５を備えた伸延本体８０４を有し、この本体８０４は、溝８０６及び丸い又は球状端部８０８を有し、これらは隣り合う棘突起突起相互間に伸延本体を配置しやすくし、従って適当な伸延量が達成できるようになっている。第１のウィング８１０が伸延本体８０４から延び、この第１のウィング８１０は図８０では、伸延本体８０４に対し実質的に垂直である。かかるウィングは本体に対し垂直であっても本発明の精神及び範囲に属する。第１のウィング８１０は、上方部分８１２及び下方部分８１４を有している。上方部分８１０（図７９）は、丸み端部８１６及び小さな凹部８１８を有している。好ましい実施形態の丸み端部８１６及び小さな凹部８１８は、椎骨のＬ４（Ｌ４−Ｌ５の配置の場合）又はＬ５（Ｌ５−Ｓ１の配置の場合）の上薄層板の解剖学的形態又は輪郭に適合するよう設計されている。この形状と同一の形状又はこの変形形状を用いると、任意の椎骨の他の薄層板に合うことは理解されるべきである。下方部分８１４も又、好ましい実施形態では椎骨に適合するために丸くなっている。伸延ユニットは、ねじ山付きボア８２０を更に有し、このねじ山付きボアは好ましい実施形態では、以下に説明するように第２のウィング８２４（図８２及び図８３）を定位置に保持するために止めねじ８２２（図８６）を受け入れている。
【００９２】
この実施形態のねじ山付きボア８２０は、約４５°の角度で傾斜し、スロット８０６と交差する。第２のウィング８２４が定位置にある状態で、止めねじ８２２は、ねじ山付きボア８２０内に挿入されると、第２のウィング８２４に係合してこれをスロット８０６内の定位置に保持することができる。
【００９３】
図８２、図８３及び図８５を参照すると、第２のウィング８２４の左側面図、平面図及び斜視図がそれぞれ示されている。第２のウィング８２４は、第１のウィングと設計が類似している。第２のウィングは、上方部分８２６及び下方部分８２８を有している。上方部分は丸み端部８３０及び小さな凹部８３２を有している。さらに、第２のウィング８２４は、伸延ユニット８０２のスロット８０６と嵌合するスロット８３４を有している。第２のウィング８２４は、好ましい実施形態の保持ユニットである。
【００９４】
図８３及び図８６で分かるように、第２のウィング又は保持ユニット８２４は、第１の幅“ａ”を有する上方部分８２６及び第２の幅“ｂ”を有する下方部分８２８を含む。好ましい実施形態では、第２の幅“ｂ”は、Ｌ４−Ｌ５、又はＬ５−Ｓ１薄層板の解剖学的形態又は輪郭を考慮して第１の幅“ａ”よりも大きい。図８３ａで分かるように、第２のウィング又は保持ユニット８２４では、幅“ａ”及び“ｂ”は後述するように、種々の寸法形状の棘突起及び他の解剖学的形態又は輪郭に合うよう大きくされる。さらに、適宜、幅“ａ”は、幅“ｂ”よりも大きい。かくして、以下により詳細に説明するように、インプラントは、複数の保持ユニット８２４を備えた汎用的形状の伸延ユニット８０２を有するのがよく、保持ユニットは各々、互いに異なる幅“ａ”及び“ｂ”を有する。外科手術中、適当な寸法“ａ”及び“ｂ”の幅を用いて適当に寸法決めされた保持ユニット８２４を選択して患者の解剖学的形態に合うようにすることができる。
【００９５】
図８６は、上椎骨８３６の上薄層板、及び、下椎骨８３８の下薄層板（点線で示されている）に隣接して位置決めされた組立て状態のインプラント８００を示している。上椎骨８３６、下椎骨８３８は、図８６に示すように本質的にインプラント８００の下に位置している。上棘突起８４０及び下棘突起８４２が、第１のウィング８１０と第２のウィング８２４との間で上椎骨８３６、下椎骨８３８から上方に延びている。好ましい実施形態では、棘突起相互間のインプラントの嵌まり具合は、ウィングが図８６に示すように棘突起に触れないようなものであるのがよいことは理解されるべきであり、このことは、本発明の精神及び範囲に属している。
【００９６】
インプラント８００は、組立て状態では、上サドル８４４及び下サドル８４６を有している。上サドル８４４は、寸法“ＵＷ”によって示された上方の幅を有している。下サドル８４６は、寸法“ＬＷ”によって示された下方の幅を有している。好ましい実施形態では、上方の幅は下方の幅よりも大きい。他の実施形態では、“ＵＷ”は解剖学的必要条件に応じて“ＬＷ”よりも小さい場合がある。上サドル８４４と下サドル８４６との間の高さは、文字“Ｈ”で示されている。これらの寸法は図８７に移して記載されており、この図８７は、上サドルと下サドルの間に形成された実質的に台形の略図である。下記の表は、図８７に示すように上方幅、下方幅及び高さの寸法の組を記載している。この表は、この実施形態の幾つかのバリエーションの寸法を記載している。
【００９７】
0004168311.tif 000002
上述の表に関し、全ての寸法の単位はmmである。
【００９８】
患者内へのインプラント８００の外科的移植の目的のため、患者は好ましくは、横になる（矢印８４１が手術台から見て上方の方向を示している）と共に屈曲した（縮んだ）体位又は姿勢になっている。その目的は、上椎骨及び下椎骨を伸延することにある。
【００９９】
好ましい手法では、小さな切開部を棘突起の中線上に入れる。棘突起は拡張具によって互いに拡げられ又は伸延される。切開部を手術台に向かって下方に拡げ、棘突起の伸延状態を維持するように伸延ユニット８０２を好ましくは棘突起８４０，８４２間で上方に挿入する。伸延端部又は球状端部８０８及びスロット８０６が棘突起の他方の側で見えるようになるまで伸延ユニット８０２を上方に押す。いったんこれが見えると、切開部を手術台から遠ざかる方向へ上方に拡げ、保持ユニット又は第２のウィング８２４をスロット８０６内へ挿入し、ねじ８２２を用いて第２のウィングを定位置に固定する。このようにした後、切開部を閉じるのがよい。
【０１００】
別の外科的手法では、小さな切開部を棘突起相互間に位置したスペースの各側に入れる必要がある。上に位置した切開部を通して配置された拡張具を用いて棘突起を互いに拡げ又は伸延する。下に位置した切開部から、棘突起を押し離すようにして伸延ユニット８０２を好ましくは棘突起８４０，８４２相互間で上方に挿入する。伸延ユニット８０２を、伸延端部又は球状端部８０８及びスロット８０６が患者の背中の第２の小さな切開部を通して見ることができるまで押し上げる。これがいったん見えると、保持ユニット又は第２のウィング８２４をスロット８０６内に挿入し、ねじ８２２を用いて第２のウィングを定位置に固定する。このようにした後、切開部を閉じるのがよい。
【０１０１】
上述の外科的手法の何れでも得られる利点は、外科医が棘突起の右側の位置や左側の位置から外科的処置を見なければならないのとは対照的に、棘突起を直接見下ろすことができるので手術全体を観察できるということにある。一般に、切開部は可能な限り小さいものであり、しかも外科医は血が付着して滑りやすい環境で仕事をしている。かくして、外科医の直ぐ前に位置決めできるインプラントは、外科医が左右に動くことを必要とするインプラントよりも挿入及び組立てが容易である。したがって、ポジション・ツー・アンテリアー・ライン（position to anterior line)に沿うアプローチとしてのトップダウン方式が好ましく、移植処置の全ての作業が外科医にとって常時完全に見えるようになる。これにより、(1) 棘突起相互間の伸延ユニット、(2) 伸延ユニット内の保持ユニット、最後に(3) 伸延ユニット内の止めねじのそれぞれの効率的な配置がしやすくなる。
【０１０２】
図８０ａは、伸延ユニット８０２ａの変形実施形態を示している。この伸延ユニット８０２ａは、図８０の伸延ユニット８０２と類似しており、異なる点は、球状端部８０８ａをねじ山付きボア８０９内にねじ込むと、この球状端部８０８ａを伸延本体８０４ａの残部から取り外すことができるという点である。伸延ユニット８０２ａを図８６に関する説明に従って患者内にいったん配置すると球状端部８０８ａが取り出される。球状端部８０８ａは、好ましい実施形態では約１cmだけ、ねじ山付きボア８２０を越えて延びるのがよい。
【０１０３】
図８８、図８９、図９０及び図９１の実施形態
本発明の別な実施形態が、図８８、図８９、図９０及び図９１に示されている。この実施形態では、インプラントは符号９００で示されている。インプラント８００と類似したインプラント９００の他の要素には、同様の番号が付けられているが、これらは９００番台の符号である。例えば、伸延ユニットは符号９０２で示され、これはインプラント８００の伸延ユニット８０２に対応している。伸延本体は、インプラント８００の伸延本体８０４に対応して符号９０４で示されている。図９０に注目すると、伸延ユニット９０２が斜視図で示されている。伸延ユニットは、底部よりも頂部の方が幅の広いスロット９０６を有している。このようにした理由は、第２のウィング９２４（図８９）よりも幅の広いスロット９０６の上方幅広部分を用いて外科医が第２のウィング９２４をスロット９０６内へ容易に配置し、そしてウェッジ状スロット９０６が第２のウィング９２４をその最終設置位置に案内することができるようにする。図９１で分かるように、最終設置位置では、スロット９０６の最も大きな部分は、第２のウィング９２４によって完全には満たされていない。
【０１０４】
インプラント９００の端部９０８の異なる点は、一層尖っていて、約４５°の角度（他の角度、例示に過ぎないが、一例としての約３０°〜約６０°の角度は、本発明の精神に属している）に設けられた側部９０９，９１１を有すると共に小さな平らな先端部９１３を備えていて、本体９０４を棘突起相互間に一層容易に押し込むことができるようになっている点である。
【０１０５】
この伸延ユニット９０２は、スロット９０６から延びる舌状凹部９１９を更に有している。ねじ山付きボア９２０が舌状凹部に設けられている。
【０１０６】
図８９で分かるように、第２のウィング９２４が、上方部分９２６及び下方部分９２８に実質的に垂直に且つこれらの間に延びる舌部９４８を有している。タブ９４８は、ボア９５０を有している。第２のウィング９２４を伸延ユニット９０２のスロット９０６内に配置すると共にタブ９４８を凹部９１９内に配置した状態で、ねじ山付き止めねじ９２２を、ボア９５０に通してねじ山付きボア９２０に螺合させることができる。その目的は、第２のウィング又は保持ユニット９２４を伸延ユニット９０２に固定することにある。実施形態としてのインプラント９００を上述した実施形態としてのインプラント８００と同一の方法で移植する。加うるに、ボア９２２は伸延本体９０４に対して実質的に垂直なので（しかも、これに対して鋭角では設けられていない）、外科医は棘突起の真後ろの位置から一層容易に止めねじを定位置に固定することができる。
【０１０７】
図９２，９２ａ，９２ｂ，９３，９３ｂ，９３ｃ，９３ｄ，９４，９４ａ，９４ｂ，９５，９５ａ及び９６の実施形態
本発明のなおさらなる実施形態を図９２及び図９２ａに示す。この実施形態において、図９２ａからわかるように、インプラント１０００は、第１ウィング具１００４を一端に位置決めした細長い中心本体１００２を有する。ウィング１００４は、図８８の実施形態に対して既に記載した第１ウィングと同様である。この実施形態では、ボルト１００６が、ウィング１００４を中心本体１００２に固定する。ボルト１００６は、中心本体１００２の長手方向軸線に沿う中心本体１００２のボアに受け入れられる。この実施形態において、第１ユニットが中心本体１００２、第１ウィング１００４及びガイド１０１０によって構成されることを理解すべきである。
【０１０８】
変形例としては、第１ウィングは、図９３ｃからわかるように、プレス嵌め及び移動止め装置によって、中心本体に固定されてもよい。この装置では、第１ウィングは、第１ウィングから好ましくは略垂直に延び、可撓性キャッチ１０４２を備えた突起部１０４０を有する。突起物及び可撓性キャッチは、キャッチが移動止め１０４６に受け入れられた状態で、中心本体のボア１０４４の中にプレス嵌めされる。
【０１０９】
さらに別の変形例において、図９３ｄに示すように、突起部が第１ウィングを突起部に接合する部材から第１ウィングまで略平行に向くように、第１ウィングを設計してもよい。かくして、この実施形態では、第２ウィングを挿入する方向と同じ方向に沿って第１ウィングを本体に挿入する。
【０１１０】
ガイド１０１０が、中心本体１００２の他端に位置決めされている。この特定の実施では、ガイド１０１０は、尖った矢印形状のガイドとなるように、略三角形に形作られる。変形例として、ガイド１０１０は、横向きに裁頭された側が長手方向軸線１００８に沿う円筒形形状でもよい。凹部１０１２は、以下に記載するように、第２ウィング１０３２を受け入れるためにある。
【０１１１】
さらに、インプラント１０００の隣接した棘突起の間への挿入を補助するために、ガイド１０１０を球状、円筒形形状、尖端状、矢印形状等にすることが可能であることも理解すべきである。（１）患部の外傷を減じ、さらに早期治癒を容易にするために、(２)通常の解剖を不安定にしないために、挿入技術が骨及びそのまわりの組織或いは靭帯の邪魔になるべくならないことが有利である。本実施形態によれば、棘突起のいかなる骨の除去も必要でないし、さらに患者の解剖に応じて、棘突起と直接関連した靭帯及び組織を除去或いは切断する必要もないことを留意すべきである。
【０１１２】
インプラント１０００はさらに、中心本体１００２のまわりに嵌まり、さらに中心本体１００２から少なくとも部分的に間隔を隔てたスリーブ１０１６を有する。より詳細に以下に説明するように、インプラントは、チタンのような生物学的適合性材料からなるのがよい一方で、スリーブは、疲労なしに繰り返し撓みに耐える一方で、原形に戻る、たとえばニッケルチタン材料(ＮｉＴｉ)のような超弾性材料からなるのが好ましい。スリーブは、たとえばチタンのような他の材料から作られてもよいが、これらの材料は、超弾性材料の利点を有していない。
【０１１３】
図９３ａは、中心本体１００２及びスリーブ１０１６を示す、インプラント１０００の断面図である。好ましい実施形態における、図９３ａの断面図からわかるように、中心本体１００２及びスリーブ１０１６はともに、略円柱であり、卵形或いは楕円形である。卵形或いは楕円形状は、より多くの棘突起がスリーブによって支持され、それによって骨とスリーブとの間の付加をより均一に分布させることができる。これによって、骨のひび割れ或いは骨の再吸収の可能性を減じる。
【０１１４】
さらに、卵形或いは楕円形状は、スリーブの主軸が、以下に記載するように、棘突起の長手方向に平行であるから、スリーブの可撓性を増大させる。しかしながら、円形断面のような他の形状は、本発明の精神及び範囲内である。
【０１１５】
この特定の実施形態において、中心本体１００２は、円柱１０１６の内面から延びる細長スポーク１０２０を受け入れる軸線１００８に沿って細長溝１０１８を有する。
【０１１６】
好ましい実施形態において、中心本体及びスリーブの両断面は、軸線１０２２に沿う大寸法及び軸線１０２４に沿う小寸法を有する（図９３ａ）。スポーク１０２０は、大寸法に沿っており、その結果小寸法に沿って、スリーブ１０１６は、中心本体１００２に対して最大湾曲を有することができる。小寸法１０２４に沿う中心本体は、多種の大きさを有することが可能であり、たとえば、スリーブ１０１６の中心本体１００２の方向への撓み能力を増大させるために、厚さを減じることができることを理解すべきである。
【０１１７】
変形例として、図９３bからわかるように、中心本体１００２は、スポーク１０２０を有することができ、さらにスリーブ１０１６は、スリーブ１０１６を中心本体１００２から適正に間隔を隔てるために、溝１０１８を有するように設計することができる。
【０１１８】
他の実施形態において、スリーブは以下のような大寸法及び小寸法を有することができる。
0004168311.tif 000003
１つの好ましい実施形態において、スリーブは大寸法及び小寸法を備えた断面を有し、この大寸法は、小寸法より大きく、小寸法の約２倍より小さい。この実施形態において、ガイドは、ガイド大寸法がスリーブ大寸法に略等しく、ガイド小寸法がスリーブ小寸法に略等しいように、スリーブに隣接した断面を有する。さらに、この実施形態において、ガイドは、断面が中心本体から離れる方向に大きさが減じる断面を有し、中心本体から延びる。
【０１１９】
別の好ましい実施形態において、ガイドは、スリーブに隣接して設置された基部を備えた円筒形形状である。さらに、ガイドはスリーブの卵型断面と略同じ基部断面を有する。
【０１２０】
かくして、上記から、スリーブの大寸法が中心本体の大寸法と一致し、スリーブの小寸法が中心本体の小寸法と一致するのが好ましいことは明らかである。さらに、スリーブ１０１６の大寸法は、長手方向軸線１０３０に沿って（図９２ａ）第１ウィング１００４の大寸法に対して略垂直であることが明らかである。これによって、前述のように、インプラント１０００が棘突起の間に適正に位置決めされと、脊柱延長の間、棘突起のスリーブ１０１６への負荷を分布させるために、スリーブの主な部分が上棘突起及び下棘突起の両方に接触する。
【０１２１】
上で示したように、スリーブ１０１６向けの好ましい材料は、超弾性材料であり、より好ましくはニッケルとチタンの合金からなる。このような材料は、商標Nitinolのもとで入手可能である。生物学的適合性を有し、さらに超弾性材料の一般特性と同じ特性を有する限り、他の超弾性材料も使用可能である。この特定の実施形態において、好ましい超弾性材料は、以下のようなニッケル、チタン、炭素及び他の材料の組成物からなる。
ニッケル       ５５．８０重量％
チタン         ４４．０７重量％
炭素           ０．５重量％未満
酸素           ０．５重量％未満
特に、この組成の材料は、約８％の回復可能なひずみを吸収できる。もちろん、８％以上或いは８％以下を吸収できる他の材料も本発明の精神及び範囲内にある。この材料は、中心本体に向かって繰り返し撓むことができ、さらに疲労なしに略原形に復元することができる。さらに、好ましくは、この材料は、非常に小量の初期変形ひずみで限界応力に耐え、さらに限界応力より上で、多くの場合小量の初期変形ひずみである略瞬間変形ひずみを呈する。このような特性を図１１８に示す。図１１８には、特定の限界応力レベルより上で、変形ひずみが約８％まで略瞬間的であることが示されている。図１１８は、前述のような代表的なタイプの超弾性材料に対する応力とひずみとの間の負荷及び無負荷曲線を示す。
【０１２２】
好ましくは、棘突起の間に加わる力が、約９．１ｋｇから約２２．７ｋｇ（約２０lbs．から５０lbs．）で、たとえば、ほんの約８％までの変形を可能にするように、上記の超弾性材料を選択する。これによって、スリーブは中心本体の方に撓み、伸展の際、棘突起の相当量の力を吸収する。理想的には、スリーブは、前述のような超弾性効果（限界応力レベル）を呈するまで、約９．１ｋｇから約２２．７ｋｇ（約２０lbs．から５０lbs．）を吸収するように設計される。さらに、スリーブの適用及び特定の個人の脊柱及び棘突起の対の解剖に応じて、限界応力レベルに達する前に、スリーブを約９．１ｋｇから約２２６．８ｋｇ（２０lbs．から５００lbs．）の好ましい力の範囲で設計することが可能である。実験結果は、老人の棘突起では、約１８１．６ｋｇ（約４００ポンド）の力で棘突起が折れることを示す。さらに、このような実験結果はまた、少なくとも約４５．４ｋｇ（１００ポンド）の力で、棘突起は圧縮を受けることを示す。したがって、理想的には、超弾性材料は約４５．４ｋｇ（１００ポンド）の力以下で、変形し、或いは、撓むように設計する。
【０１２３】
好ましい実施形態において、スリーブの壁厚は約１ｍｍ（40／1000インチ）である。好ましくは、スリーブは、１ｍｍの組合せ撓みを受けるように設計される。１ｍｍの組合せ撓みは、小寸法の上部における0.5ｍｍの撓み及び小寸法の下部における0.5ｍｍの撓みが存在することを意味する。両撓みは、中心本体に向かっている。
【０１２４】
スリーブの断面がより円形である特定の実施形態において、外径が約１５．８ｍｍ（０．６２２インチ）であって、及び、壁厚が約０．８６ｍｍ（０．０３４インチ）では、約９．１ｋｇ（２０lb.）の負荷が約０．１２７ｍｍ（０．００５インチ）の撓みを引き起こし、約２７．２ｋｇ（６０lb.）の負荷が約０．５ｍｍ（０．０２０インチ）の撓みを引き起こす。約４５．４ｋｇ（１００lb.）の負荷なら、約１ｍｍ（約０．０４インチ）の撓みを引き起こす。
【０１２５】
かくして、要約すれば、上の好ましい超弾性材料は、スリーブが繰り返し撓み可能であり、疲労を示すことなしに原形に復元し得ることを意味する。スリーブは、小量の変形ひずみで限界応力に耐え、およそ限界応力において、多くの場合小量の変形ひずみである略瞬間的な変形ひずみを呈する。換言すれば、このような超弾性特性は、材料がプラトー応力を受け、このプラトー応力において材料が図１１８に示すように非常に大きなひずみ範囲に亘って一定の力（応力）を支持することを意味する。
【０１２６】
この特別な実施形態において、超弾性材料のバーストックを機械加工して、適正な形態とし、次いで材料の温度を華氏９３２度まで増大し、さらにこの温度を５分間保持し、次いでスリーブを即座に水に焼き入れすることによって、最終温度まで加熱処理して、材料の形状を設定することを理解すべきである。華氏約５９度（１５℃）の遷移温度Afを有するように、このニッケルチタン超弾性合金を選択するのが好ましいことも理解すべきである。一般的に、このような装置にとって、遷移温度は１５℃と６５℃との間（華氏５９度と華氏１４９度との間）にすることが可能であり、特に１０℃と４０℃との間（華氏５０度と華氏１０４度との間）が好ましい。好ましくは、最適な弾性特性を奏するように、材料を本体内で遷移温度より上に維持する。
【０１２７】
変形例として、機械加工ではなくワイヤ電気放電加工（ＥＤＭ）によってスリーブを作るのが好ましい。さらに、表面強度及びスリーブの弾性度を増大させるために、ショットブラスト技術を用いてスリーブを仕上げてもよい。
【０１２８】
第２ウィング１０３２の平面図及び側面図を図９４及び図９５にそれぞれ示す。前述の数種の実施形態における第２ウィング１０３２は、ボア１０３６付タブ１０３４を有し、このボアはガイド１０１０のボア１０１４と整列する。この特定の実施形態において、第２ウィング１０３２は、タブ１０３４がガイド１０１０の凹部１０１２におさまった状態で、ガイド１０１０の上に嵌まるように大きさ決めされた切り欠き１０３８を有する。
【０１２９】
第２ウィング１０３２の変形例を図９４ａに示す。この形態では、第２ウィング１０３２は、タブ１０３４に対して鋭角に保持される。これは、第２ウィングがタブに対して略垂直な図９４及び図９５の実施形態における状態と異なる。図９４ａの第２ウィングの実施形態にとって、このような実施形態は、棘突起の形状に応じて適正に利用される。
【０１３０】
図９４ｂ及び図９５ｂに示す変形例の第２ウィング１０３２に関し、細長タブ１０３４は、接近して位置決めされた複数のボア１０３６を有する。ボアは、そのように位置決めされているから、ホタテガイ形状を形成するようにみえる。第２ウィング１０３２を第１ウィング１００４に対する３つの異なる位置に効果的に位置決めするために、ボア１０３６の個々のホタテガイ部分は選択的にボルトを保持することができる。第１ウィング１００４に最近接する位置では、第２ウィング１０３２がスリーブ１０１６に即隣接し、さらにスリーブ１０１６の形状に一致しなければならないので、切り欠き１０３８（この変形実施形態の図９５ａ）を図９５のそれに対して拡大する。
【０１３１】
図９７の実施形態
図９７のインプラント１０５０は、図９２のインプラント１０００と同様であり、主要な違いは、第２ウィングが必要とされないことである。インプラント１０５０は、インプラント１０００が有するように、中心本体を有する。中心本体は、第１ウィング１００４とガイド１０１０との間を延びるスリーブ１０１６によって囲まれる。この実施形態におけるガイド１０１０は、第２ウィングを受け入れる必要がないので、平坦部及びボアなしに、略円筒形形状である。スリーブ及び中心本体並びに第１ウィング及びガイドは、図９２のインプラント１０００のこれらの部品と同様な仕方で作用する。 このインプラント１０５０のスリーブ１０１６を通る断面は、図９３ａと同様であるのが好ましいことを理解すべきである。この特定の実施形態は、第２ウィングを使うのが実際的でなく、或いは不要であると考えられる場合に利用される。この実施形態は、スリーブが超弾性合金材料からなり、またインプラントを棘突起の間に案内するようにガイドが利用される一方で、棘突起のまわりに見出される靭帯及び組織への損傷を最小にするという重要な利点を有する。
【０１３２】
図９８の実施形態
インプラント１０６０を図９８に示す。このインプラントは、第１或いは第２ウィングのいずれかを有しない点を除き、図９２のインプラント１０００及び図９７のインプラント１０５０と同様である。インプラント１０６０は、ちょうど図９３のインプラント１０００の中心本体１００２のように、中心本体を取り囲むスリーブ１０１６を有する。このインプラント１０６０のスリーブ１０１６を通る断面が、図９３ａと同様であるのが好ましいことを理解すべきである。インプラント１０６０は、この好ましい実施形態では円筒形形状であるガイド１０１０を有する。ガイド１０１０は、中心本体の一端に位置する。他端には、ストップ１０６２がある。ストップ１０６２は、中心本体に対してスリーブ１０１６の他端を含むように使用される。この実施形態は、すぐ上の２つのインプラントのために用いられる図９３のボルト１００６のようなボルトでいっしょに保持される。図９８のインプラント１０６０にとって、第１ウィング或いは第２ウィングのいずれかを用いることが望ましくない棘突起の間の解剖の場合に、このような装置は適切であろう。しかしながら、この実施形態はガイドに関する、さらにスリーブの動力学に関する前述のすべての利点（図９２及び図９７）を与える。
【０１３３】
図９９及び図１００の実施形態
図９９及び図１００は、インプラント装置１０７０を示す。インプラント装置１０７０は、図９２のスリーブ１０１６と同様な、さらにこのスリーブ１０１６の有利な点を備えたスリーブ１０７２を有する。しかしながら、スリーブ１０７２は、スポークを有しない。さらに、インプラント装置１０７０は、挿入具１０７４を有する。挿入具１０７４は、好ましい実施形態では、略円筒形形状であるガイド１０７６を有する。ガイド１０７６は、スリーブ１０７２及び挿入具１０７４の棘突起の間の挿入を案内する。挿入具１０７４は、中心本体１０７８、ストップ１０８０、ハンドル１０８２をさらに有する。ガイド１０７６は、スリーブがガイド１０７６の上に嵌まり、ストップ１０８０に当たるように、その基部にスリーブ１０７２の内寸法よりわずかに小さい寸法を有する。ガイド１０７６付工具１０７４は、組織及び靭帯を分離し、さらにスリーブ１０７２を棘突起の間のスペースに付勢するのに用いられる。一旦位置決めされたら、ガイド挿入具１０７４は取り除かれ、スリーブ１０７２を所定場所に残す。所望なら、スリーブを位置決めした後、超弾性合金のような適正な材料及びチタンを含む他の材料から作られたスプリングワイア１０８４のような位置保持機構をカニューレを用いてスリーブ１０７２の中心に挿入することができる。一旦挿入したら、保持ワイヤ１０８４（図９９）の両端は、スリーブ１０７２の両端から外方に延び、さらにこのバネの性質から、スリーブ１０７２の長手方向軸線に対して所定角度で曲がる。これらのワイヤは、スリーブの棘突起に対する位置を維持するのを補助する。
【０１３４】
図１０１、図１０２、図１０２ａ、図１０３、図１０４、図１０５、図１０６及び図１０７の実施形態
インプラント１１００を有する本発明の別の実施形態を図１０１に示す。インプラント１１００は、図９２のインプラント１０００に関して示された多くの同様な特徴を有する。したがって、同様な特徴及び機能を伴う要素には、同様に番号を付する。さらに、インプラント１１００から異なる特徴は、所望なら、図９２のインプラント１０００に取り込まれ、さらにインプラント１０００の一部となりえる。
【０１３５】
インプラント１０００と同様に、インプラント１１００は、第１ウィング１００４及び第１ウィング及び中心本体をいっしょに保持するボルト１００６を備えた中心本体１００２（図１０２）を有する。この特定の実施形態において、中心本体は２つの部分からなる。第１部分１１０２は、卵形或いは楕円形の基部を備えた裁頭円錐の形状であり、第２部分１１０４は、卵形或いは楕円形の基部を有する裁頭円錐１１０３の形状の遠位端を備えた円柱中心部を有する。さらに、この特定の実施形態において、卵形或いは楕円形の基部を有するガイド１０１０が、中心本体に形成されている。ボルト１００６が、第１ウィングを第２部分１１０４を介してこれらの間に保持された第１部分１１０２と固定するために用いられる。この特定の実施形態において、ガイド１０１０は、凹部１０１２及びボア１０１４を有するのに加えて、第２ウィング１０３２の一部を受け入れる溝１１０６を有する。
【０１３６】
この特定の実施形態において、スリーブ１０１６は、図１０２からわかるように、卵形或いは楕円形であるのが好ましい。中心本体は、断面が卵形、楕円、或いは円形がよいが、他の形状も本発明の精神及び範囲の範囲内である。裁頭円錐部１１０２及び対応する裁頭円錐部１１０３各々が、楕円或いは卵形形状である基部を有することから、スリーブ１０１６は所定位置に保持される。かくして、好ましくは楕円スリーブの大寸法が、第１ウィングの大寸法に対して略垂直であるように、スリーブは所定位置に保持される。第１ウィングが椎骨に対して垂直以外の所定角度で設定されるように、第１ウィングを椎骨の近くに配置されるなら、さらにスリーブの大寸法が第１ウィングの大寸法に対して垂直以外の所定角度をなすようにスリーブが所定位置に保持されるなら、本発明の精神及び範囲内であることを理解すべきである。これは、第１ウィング１００４及びスリーブ１０１６がこのように位置決めされた状態で、ボルト１００６を締め付けることによって達成される。このような形態では、スリーブの大寸法は、隣接した棘突起の長さに略平行となるように位置決めされるのが好ましい。このような形態により、楕円或いは卵形スリーブは、より多くの表面に亘ってより均一に負荷を支持し、分散する。
【０１３７】
この実施形態のスリーブは、上で参照した超弾性スリーブに関する前述したあらゆる特性及び利点を有することを理解すべきである。
【０１３８】
前述のような第２ウィングは、棘突起の解剖フォームに変化を与えるために、種々の形状が可能である。このような形状を図１０３、図１０４、図１０５、図１０６及び図１０７に示す。各形態において、第２ウィング１０３２は、下部分１１０８及び上部分１１１０を有する。図１０４において、下棘突起が上棘突起より厚い棘突起を収容するために、下部分は、上部分より厚い。図１０５において、より小さい上下棘突起を収容するために、上下部分はともに、図１０３の上下部分に亘って拡大される。すなわち、第１ウィング及び第２ウィングの上下部分は、第２ウィングの上下部分の拡大のために、減じられる。
【０１３９】
図１０４及び図１０５に示すような第２ウィングの変形の実施の形態を図１０６及び図１０７に示す。これらの図１０６，図１０７において、第２ウィング１０３２は、図１０４及び図１０５それぞれにおける第２ウィングと同じ棘突起の解剖形状及び大きさを収容する。しかしながら、図１０６及び図１０７の第２ウィング１０３２の実施の形態において、相当量の質量がウィングから除去されている。上部分１１０８及び下部分１１１０は、第２ウィングの中心部１１１２から延びるように、形成され、或いは、曲げられる。
【０１４０】
この実施の形態では、所望なら、人体の脊椎の解剖次第で、第２ウィングは、用いる必要はないことを理解すべきであり、この実施の形態は、ガイド１０１０及びスリーブ１０１６の機能に寄与し得る重要な利点をなお有する。
【０１４１】
図１０８、図１０９、図１１０の実施の形態
図１０８および図１０９に示すようなインプラント１１２０は、インプラント１０００と同様なインプラント１１００と同様である。このような同様な詳細はすでに上で述べており、ここで第１ウィング１１２２及び第２ウィング１１２４の独特の向きに参照する。これらのウィングはそれぞれ、長手方向軸線１１２６及び１１２８を有する。これらの図からわかるように、第１及び第２ウィング１１２２，１１２４は、ともに内側に傾斜するように回転され、図１０８の紙面の外まで続くなら、図１０９の端面図から明らかなように、Aフレーム構造を形成するように交わるであろう。この特定の実施の形態において、図１０９及び図１１０からわかるように、タブ１０３４は、第２ウィング１１２４の残部に対して鋭角をなす。さらに、インプラントに形成された溝１０１８は、第２ウィング１１２４を受けるために傾斜する。従って、このインプラント１１２０は、棘突起が広く椎骨本体に隣接し、次いで椎骨本体から遠位方向に少なくともある距離に亘って大きさが狭くなる用途に特に向いている。このインプラント１１２０のスリーブ１０１６を通る断面は、図９３ａと同様であるのが好ましいことを理解すべきである。
【０１４２】
図１１１、図１１２、図１１３、図１１４、図１１５、図１１６及び図１１７の実施の形態
インプラント１１５０のさらなる実施形態を図１１１に示す。インプラント１１５０は、図９４ａに関して述べたのと同様な特徴を有する。
インプラント１１５０は、第１ウィング１１５４を備えた中心本体１１５２を有し、中心本体１１５２は、ガイド１１５８まで延びる細長溝１１５６を有する。ボルト（ねじ）１１６０が、細長溝１１５６内に位置する、ねじ切られたボア内に受け入れられる。
第２ウィング１１６２は、第２ウィング１１６２に略垂直な中心本体１１６４を有する。
中心本体１１６４は、その内部に設けられた複数のボア１１６６を有する。これらのボアは、ホタテガイ形状を構成し、各ホタテガイがボルト１１６０を、その内部に保持することができるように、互いに隣接して形成される。図１１４からわかるように、第２ウィングは、切り欠き１１６８を有し、第１ウィングと関連した中心本体の溝１１５６内に受け入れられた第２ウィングの中心本体１１６４によって、第２ウィングの残部は、インプラント１１５０の中心本体１１５２に亘って受け入れられる。このインプラント１１５０によれば、第１ウィングと第２ウィングとの距離は、ボルト１１６０をホタテガイ状の複数のボア１１６６によって構成された５つの特定のボアの１つに選択的に通すことによって、調整可能である。したがって、図１１２は、より厚肉の棘突起を収容するために、第１ウィング及び第２ウィングが、最も離れているインプラントを示す。図１１１は、平均的な棘突起を収容するために、第１ウィングと第２ウィングとの間の中間位置を示す。
【０１４３】
外科手術の間、中心本体１１５２を棘突起の間で付勢するのが好ましいことを理解すべきである。これが起こった後、第２ウィングは、第２ウィング１１６２と関連した中心本体１１６４が、第１ウィング１１５４と関連した中心本体１１５２の溝１１５６に受け入れられるまで、第２ウィングの面を第１ウィングの面に略平行に移動させる棘突起の他の側によって案内される。 これが起こった後、ボルト１１６０は、第２ウィングを中心本体に固定するために、第２ウィング１１６２及び中心本体１１５２と関連した整列されたボアを通して位置決めされる。
【０１４４】
更なる実施の形態において、インプラント１１５０は、スリーブ１０１６のようなスリーブを示さないが、このようなスリーブ１０１６は、本体１１５２を覆って配置してもよいし、本発明の精神の範囲内である。
【０１４５】
【産業上の利用可能性】
上記のことから、本発明を用いると中心管狭窄又は孔（側方）狭窄の形態（これらは例示に過ぎない）の脊椎の狭窄を原因とする痛みを緩和することができる。これらインプラントは、背骨の生来の弯曲を平らにすると共に神経孔及び隣り合う椎骨相互間の間隔を拡げて上述の側方及び中心管の狭窄と関連した問題を解決する。その上、本発明を用いると、小関節の関節症による痛みを和らげることができる。本発明は、最小侵襲性であり、基本的に外来患者向きである。
【０１４６】
本発明の別の特徴、目的及び利点は、請求の範囲及び図面を参照することより明らかになろう。
【０１４７】
本発明の精神及び範囲内に属する他の実施形態を想到できるが、これらは本発明の精神及び範囲内に含まれることは理解されるべきである。
【図面の簡単な説明】
【図１】  所要伸延量を選択するために調節可能な本発明のインプラントの実施形態を示す図である。
【図２】  所要伸延量を選択するために調節可能な本発明のインプラントの実施形態を示す図である。図１は、インプラントを図２の場合よりも一層伸長させた形体で示す図である。
【図３ａ】  図１の実施形態の第１の二又端部の側面図及び端面図である。
【図３ｂ】  図１の実施形態の第１の二又端部の側面図及び端面図である。
【図４ａ】  図１の椎体間片の横断面側面図及び端面図である。
【図４ｂ】  図１の椎体間片の横断面側面図及び端面図である。
【図５ａ】  図１の実施形態の第２の二又端部の側面図及び端面図である。
【図５ｂ】  図１の実施形態の第２の二又端部の側面図及び端面図である。
【図６】  隣り合う棘突起相互間に伸延を生じさせる本発明の別の実施形態の装置及び方法を示す図である。
【図７】  隣り合う棘突起相互間に伸延を生じさせる本発明の別の実施形態の装置及び方法を示す図である。
【図８】  隣り合う棘突起相互間に伸延を生じさせる本発明の別の実施形態の装置及び方法を示す図である。
【図９】  隣り合う棘突起相互間に伸延を生じさせる本発明の別の実施形態の装置及び方法を示す図である。
【図１０】  隣り合う棘突起相互間に伸延を生じさせる本発明の別の実施形態の装置及び方法を示す図である。
【図１１】  隣り合う棘突起相互間に伸延を生じさせる本発明の更に別の実施形態の装置及び方法を示す図である。
【図１２】  隣り合う棘突起相互間に伸延を生じさせる本発明の更に別の実施形態の装置及び方法を示す図である。
【図１３】  隣り合う棘突起相互間に伸延を生じさせる本発明の更に別の実施形態の装置及び方法を示す図である。
【図１４】  伸延を生じさせる本発明の別の実施形態の装置及び方法を示す図である。
【図１５】  伸延を生じさせる本発明の別の実施形態の装置及び方法を示す図である。
【図１６】  本発明の更に別の実施形態を示す図である。
【図１６ａ】  本発明の更に別の実施形態を示す図である。
【図１７】  本発明の更に別の実施形態を示す図である。
【図１８】  本発明の更に別の実施形態を示す図である。
【図１９】  本発明の更に別の実施形態を示す図である。
【図２０】  本発明の更に別の実施形態を示す図である。
【図２１】  本発明の更に別の実施形態を示す図である。
【図２２】  本発明の更に別の実施形態を示す図である。
【図２３】  本発明の別の実施形態を示す図である。
【図２４】  本発明の別の実施形態を示す図である。
【図２５】  本発明の別の実施形態を示す図である。
【図２６】  本発明の別の実施形態を示す図である。
【図２７】  本発明の別の実施形態を示す図である。
【図２８】  本発明の別の実施形態を示す図である。
【図２９】  本発明の互いに形状の異なるインプラントの側面図である。
【図３０】  本発明の互いに形状の異なるインプラントの側面図である。
【図３１】  本発明の装置の種々のインプラントの位置を示す図である。
【図３２】  本発明の装置の種々のインプラントの位置を示す図である。
【図３３】  本発明の装置の種々のインプラントの位置を示す図である。
【図３４】  本発明の更に別の装置及び方法を示す図である。
【図３５】  本発明の更に別の装置及び方法を示す図である。
【図３６】  本発明の３つの互いに異なる実施形態を示す図である。
【図３７】  本発明の３つの互いに異なる実施形態を示す図である。
【図３８】  本発明の３つの互いに異なる実施形態を示す図である。
【図３９】  本発明の実施形態の更に別の装置及び方法を示す図である。
【図４０】  本発明の実施形態の更に別の装置及び方法を示す図である。
【図４１】  本発明の装置及び方法の更に別の実施形態を示す図である。
【図４２】  本発明の装置及び方法の更に別の実施形態を示す図である。
【図４３】  本発明の装置及び方法の更に別の実施形態を示す図である。
【図４４】  本発明のインプラントの別の実施形態を示す図である。
【図４５】  本発明の別の装置及び方法の図である。
【図４６】  本発明の実施形態の更に別の装置及び方法を示す図である。
【図４７】  本発明の実施形態の更に別の装置及び方法を示す図である。
【図４８】  本発明の更に別の装置及び方法を示す図である。
【図４９】  本発明の更に別の装置及び方法を示す図である。
【図５０】  本発明の更に別の装置及び方法を示す図である。
【図５１】  本発明の更に別の装置及び方法を示す図である。
【図５２】  本発明の別の装置及び方法を示す図である。
【図５３】  本発明の別の装置及び方法を示す図である。
【図５４】  本発明の別の装置及び方法を示す図である。
【図５５ａ】  本発明の別の装置及び方法を示す図である。
【図５５ｂ】  本発明の別の装置及び方法を示す図である。
【図５６】  本発明の更に別の装置及び方法を示す図である。
【図５７】  本発明の更に別の装置及び方法を示す図である。
【図５８】  本発明の更に別の装置及び方法を示す図である。
【図５９】  本発明の更に別の実施形態を示す図である。
【図６０】  本発明の更に別の実施形態を示す図である。
【図６１】  本発明の別の実施形態を示す図である。
【図６２】  本発明の更に別の実施形態を示す図である。
【図６３】  本発明の更に別の実施形態を示す図である。
【図６４】  本発明の更に別の実施形態を示す図である。
【図６５】  本発明の更に別の実施形態を示す図である。
【図６６】  本発明の別の実施形態を示す図である。
【図６７】  本発明の更に別の実施形態を示す図である。
【図６８】  本発明の更に別の実施形態を示す図である。
【図６９】  本発明の別の実施形態を示す図である。
【図７０】  本発明の別の実施形態を示す図である。
【図７１】  本発明の別の実施形態を示す図である。
【図７１ａ】  本発明の別の実施形態を示す図である。
【図７２】  本発明の更に別の実施形態を示す図である。
【図７３】  本発明の更に別の実施形態を示す図である。
【図７４】  本発明の更に別の実施形態を示す図である。
【図７５】  本発明の更に別の実施形態を示す図である。
【図７６】  本発明の更に別の実施形態を示す図である。
【図７７】  本発明の更に別の実施形態を示す図である。
【図７８】  本発明の更に別の実施形態を示す図である。
【図７９】  本発明の更に別の実施形態を示す図である。
【図８０】  本発明の更に別の実施形態を示す図である。
【図８０ａ】  本発明の更に別の実施形態を示す図である。
【図８１】  本発明の更に別の実施形態を示す図である。
【図８２】  本発明の更に別の実施形態を示す図である。
【図８３】  本発明の更に別の実施形態を示す図である。
【図８４】  本発明の更に別の実施形態を示す図である。
【図８５】  本発明の更に別の実施形態を示す図である。
【図８６】  本発明の更に別の実施形態を示す図である。
【図８７】  本発明の更に別の実施形態を示す図である。
【図８８】  本発明の更に別の実施形態を示す図である。
【図８９】  本発明の更に別の実施形態を示す図である。
【図９０】  本発明の更に別の実施形態を示す図である。
【図９１】  本発明の更に別の実施形態を示す図である。
【図９２】  棘突起間の相対運動に応じて撓み可能に設けられたスリーブを有する本発明のなお別の実施形態を示す。
【図９２ａ】  棘突起間の相対運動に応じて撓み可能に設けられたスリーブを有する本発明のなお別の実施形態を示す。
【図９２ｂ】  棘突起間の相対運動に応じて撓み可能に設けられたスリーブを有する本発明のなお別の実施形態を示す。
【図９３】  棘突起間の相対運動に応じて撓み可能に設けられたスリーブを有する本発明のなお別の実施形態を示す。
【図９３ａ】  棘突起間の相対運動に応じて撓み可能に設けられたスリーブを有する本発明のなお別の実施形態を示す。
【図９３ｂ】  棘突起間の相対運動に応じて撓み可能に設けられたスリーブを有する本発明のなお別の実施形態を示す。
【図９３ｃ】  棘突起間の相対運動に応じて撓み可能に設けられたスリーブを有する本発明のなお別の実施形態を示す。
【図９３ｄ】  棘突起間の相対運動に応じて撓み可能に設けられたスリーブを有する本発明のなお別の実施形態を示す。
【図９４】  棘突起間の相対運動に応じて撓み可能に設けられたスリーブを有する本発明のなお別の実施形態を示す。
【図９４ａ】  棘突起間の相対運動に応じて撓み可能に設けられたスリーブを有する本発明のなお別の実施形態を示す。
【図９４ｂ】  棘突起間の相対運動に応じて撓み可能に設けられたスリーブを有する本発明のなお別の実施形態を示す。
【図９５】  棘突起間の相対運動に応じて撓み可能に設けられたスリーブを有する本発明のなお別の実施形態を示す。
【図９５ａ】  棘突起間の相対運動に応じて撓み可能に設けられたスリーブを有する本発明のなお別の実施形態を示す。
【図９６】  棘突起間の相対運動に応じて撓み可能に設けられたスリーブを有する本発明のなお別の実施形態を示す。
【図９７】  本発明のなお別の実施形態を示す。
【図９８】  本発明のなお別の実施形態を示す。
【図９９】  挿入具を有する本発明のなお別の実施形態を示す。
【図１００】  挿入具を有する本発明のなお別の実施形態を示す。
【図１０１】  本発明のなお別の実施形態を示す。
【図１０２】  本発明のなお別の実施形態を示す。
【図１０２ａ】  本発明のなお別の実施形態を示す。
【図１０３】  本発明のなお別の実施形態を示す。
【図１０４】  本発明のなお別の実施形態を示す。
【図１０５】  本発明のなお別の実施形態を示す。
【図１０６】  本発明のなお別の実施形態を示す。
【図１０７】  本発明のなお別の実施形態を示す。
【図１０８】  本発明のなお別の実施形態を示す。
【図１０９】  本発明のなお別の実施形態を示す。
【図１１０】  本発明のなお別の実施形態を示す。
【図１１１】  本発明のなお別の実施形態を示す。
【図１１２】  本発明のなお別の実施形態を示す。
【図１１３】  本発明のなお別の実施形態を示す。
【図１１４】  本発明のなお別の実施形態を示す。
【図１１５】  本発明のなお別の実施形態を示す。
【図１１６】  本発明のなお別の実施形態を示す。
【図１１７】  本発明のなお別の実施形態を示す。
【図１１８】  本発明の種々の実施形態で使用可能な好ましい材料の特性を示すグラフである。
【図１】
0004168311.tif 000004
【図２】
0004168311.tif 000005
【図３ａ】
0004168311.tif 000006
【図３ｂ】
0004168311.tif 000007
【図４ａ】
0004168311.tif 000008
【図４ｂ】
0004168311.tif 000009
【図５ａ】
0004168311.tif 000010
【図５ｂ】
0004168311.tif 000011
【図６】
0004168311.tif 000012
【図７】
0004168311.tif 000013
【図８】
0004168311.tif 000014
【図９】
0004168311.tif 000015
【図１０】
0004168311.tif 000016
【図１１】
0004168311.tif 000017
【図１２】
0004168311.tif 000018
【図１３】
0004168311.tif 000019
【図１４】
0004168311.tif 000020
【図１５】
0004168311.tif 000021
【図１６ａ】
0004168311.tif 000022
【図１６】
0004168311.tif 000023
【図１７】
0004168311.tif 000024
【図１８】
0004168311.tif 000025
【図１９】
0004168311.tif 000026
【図２０】
0004168311.tif 000027
【図２１】
0004168311.tif 000028
【図２２】
0004168311.tif 000029
【図２３】
0004168311.tif 000030
【図２４】
0004168311.tif 000031
【図２５】
0004168311.tif 000032
【図２６】
0004168311.tif 000033
【図２７】
0004168311.tif 000034
【図２８】
0004168311.tif 000035
【図２９】
0004168311.tif 000036
【図３０】
0004168311.tif 000037
【図３１】
0004168311.tif 000038
【図３２】
0004168311.tif 000039
【図３３】
0004168311.tif 000040
【図３４】
0004168311.tif 000041
【図３５】
0004168311.tif 000042
【図３６】
0004168311.tif 000043
【図３７】
0004168311.tif 000044
【図３８】
0004168311.tif 000045
【図３９】
0004168311.tif 000046
【図４０】
0004168311.tif 000047
【図４１】
0004168311.tif 000048
【図４２】
0004168311.tif 000049
【図４３】
0004168311.tif 000050
【図４４】
0004168311.tif 000051
【図４５】
0004168311.tif 000052
【図４６】
0004168311.tif 000053
【図４７】
0004168311.tif 000054
【図４８】
0004168311.tif 000055
【図４９】
0004168311.tif 000056
【図５０】
0004168311.tif 000057
【図５１】
0004168311.tif 000058
【図５２】
0004168311.tif 000059
【図５３】
0004168311.tif 000060
【図５４】
0004168311.tif 000061
【図５５ａ】
0004168311.tif 000062
【図５５ｂ】
0004168311.tif 000063
【図５６】
0004168311.tif 000064
【図５７】
0004168311.tif 000065
【図５８】
0004168311.tif 000066
【図５９】
0004168311.tif 000067
【図６０】
0004168311.tif 000068
【図６１】
0004168311.tif 000069
【図６２】
0004168311.tif 000070
【図６３】
0004168311.tif 000071
【図６４】
0004168311.tif 000072
【図６５】
0004168311.tif 000073
【図６６】
0004168311.tif 000074
【図６７】
0004168311.tif 000075
【図６８】
0004168311.tif 000076
【図６９】
0004168311.tif 000077
【図７０】
0004168311.tif 000078
【図７１】
0004168311.tif 000079
【図７１ａ】
0004168311.tif 000080
【図７２】
0004168311.tif 000081
【図７３】
0004168311.tif 000082
【図７４】
0004168311.tif 000083
【図７５】
0004168311.tif 000084
【図７６】
0004168311.tif 000085
【図７７】
0004168311.tif 000086
【図７８】
0004168311.tif 000087
【図７９】
0004168311.tif 000088
【図８０】
0004168311.tif 000089
【図８１】
0004168311.tif 000090
【図８２】
0004168311.tif 000091
【図８３】
0004168311.tif 000092
【図８３ａ】
0004168311.tif 000093
【図８４】
0004168311.tif 000094
【図８５】
0004168311.tif 000095
【図８０ａ】
0004168311.tif 000096
【図８６】
0004168311.tif 000097
【図８７】
0004168311.tif 000098
【図８８】
0004168311.tif 000099
【図８９】
0004168311.tif 000100
【図９０】
0004168311.tif 000101
【図９１】
0004168311.tif 000102
【図９２】
0004168311.tif 000103
【図９２ａ】
0004168311.tif 000104
【図９２ｂ】
0004168311.tif 000105
【図９３】
0004168311.tif 000106
【図９３ａ】
0004168311.tif 000107
【図９３ｂ】
0004168311.tif 000108
【図９３ｃ】
0004168311.tif 000109
【図９３ｄ】
0004168311.tif 000110
【図９４】
0004168311.tif 000111
【図９４ａ】
0004168311.tif 000112
【図９４ｂ】
0004168311.tif 000113
【図９５】
0004168311.tif 000114
【図９５ａ】
0004168311.tif 000115
【図９６】
0004168311.tif 000116
【図９７】
0004168311.tif 000117
【図９８】
0004168311.tif 000118
【図９９】
0004168311.tif 000119
【図１００】
0004168311.tif 000120
【図１０１】
0004168311.tif 000121
【図１０２】
0004168311.tif 000122
【図１０２ａ】
0004168311.tif 000123
【図１０３】
0004168311.tif 000124
【図１０４】
0004168311.tif 000125
【図１０５】
0004168311.tif 000126
【図１０６】
0004168311.tif 000127
【図１０７】
0004168311.tif 000128
【図１０８】
0004168311.tif 000129
【図１０９】
0004168311.tif 000130
【図１１０】
0004168311.tif 000131
【図１１１】
0004168311.tif 000132
【図１１２】
0004168311.tif 000133
【図１１３】
0004168311.tif 000134
【図１１４】
0004168311.tif 000135
【図１１５】
0004168311.tif 000136
【図１１６】
0004168311.tif 000137
【図１１７】
0004168311.tif 000138
【図１１８】
0004168311.tif 000139